(57)【要約】  無線通信システムで端末による方法が提供される。方法は、ＡＣＫ／ＮＡＣＫのための第１ＰＵＣＣＨフォーマット及びＳＲのための第２ＰＵＣＣＨフォーマットを識別する段階と、ＡＣＫ／ＮＡＣＫの送信及びＳＲの送信がスロットでオーバーラップするか識別する段階と、前記第１ＰＵＣＣＨフォーマットがＰＵＣＣＨフォーマット０である場合、基地局へＡＣＫ／ＮＡＣＫをスロットで送信する段階と、及び前記第１ＰＵＣＣＨフォーマットがＰＵＣＣＨフォーマット１であり、前記第２ＰＵＣＣＨフォーマットがＰＵＣＣＨフォーマット０である場合、基地局へスロットでＳＲ無しにＡＣＫ／ＮＡＣＫを送信する段階と、を含む。
2021509784.tif 000002
【特許請求の範囲】
【請求項１】
無線通信システムにおいて端末によって行われる方法であって、
ＡＣＫ／ＮＡＣＫ(ａｃｋｎｏｗｌｅｄｇｅ／ｎｏｎ−ａｃｋｎｏｗｌｅｄｇｅｍｅｎｔ)に対する第１ＰＵＣＣＨ(ｐｈｙｓｉｃａｌ  ｕｐｌｉｎｋ  ｃｏｎｔｒｏｌ  ｃｈａｎｎｅｌ)フォーマット及びスケジューリングリクエスト(ＳＲ)に対する第２ＰＵＣＣＨフォーマットを識別する段階と、
前記ＡＣＫ／ＮＡＣＫの送信と前記ＳＲの送信がスロットでオーバーラップされるか識別する段階と、
基地局へ、前記第１ＰＵＣＣＨフォーマットがＰＵＣＣＨフォーマット０であることに基づいて、前記スロットで前記ＡＣＫ／ＮＡＣＫを送信する段階と、及び
前記基地局へ、前記第１ＰＵＣＣＨフォーマットがＰＵＣＣＨフォーマット１であり、前記第２ＰＵＣＣＨフォーマットがＰＵＣＣＨフォーマット０であることに基づいて、前記スロットで前記ＳＲ無しに前記ＡＣＫ／ＮＡＣＫを送信する段階と、を含む、方法。
【請求項２】
前記第１ＰＵＣＣＨフォーマットがＰＵＣＣＨフォーマット０であることに基づいて、前記ＡＣＫ／ＮＡＣＫのための循環シフトを決定するための第１値が前記ＡＣＫ／ＮＡＣＫの値に基づいて決定されることである、請求項１に記載の方法。
【請求項３】
前記第１値はＰＵＣＣＨフォーマット０を用いてＳＲ無いＡＣＫ／ＮＡＣＫ送信のための第２値とは異なり、
前記第１値と前記第２値の差は３である、請求項２に記載の方法。
【請求項４】
前記第１ＰＵＣＣＨフォーマットがＰＵＣＣＨフォーマット０に基づいて前記ＡＣＫ／ＮＡＣＫ送信のための循環シフト(ｃｙｃｌｉｃ  ｓｈｉｆｔ)を決定するための値に肯定ＳＲ(ｐｏｓｉｔｉｖｅ  ＳＲ)のための予め設定された値が足され、
前記第１ＰＵＣＣＨフォーマットがＰＵＣＣＨフォーマット１であり、前記第２ＰＵＣＣＨフォーマットがＰＵＣＣＨフォーマット０であることに基づいて、前記ＳＲはドラップされることである、請求項１に記載の方法。
【請求項５】
無線通信システムにおいて基地局によって行われる方法であって、
端末で、ＡＣＫ／ＮＡＣＫのための第１ＰＵＣＣＨフォーマットに対する情報及びＳＲのための第２ＰＵＣＣＨフォーマットに対する情報を送信する段階として、前記ＡＣＫ／ＮＡＣＫの送信と前記ＳＲの送信がスロット内でオーバーラップすることである段階と、
前記端末から、前記第１ＰＵＣＣＨフォーマットがＰＵＣＣＨフォーマット０であることに基づいて、前記スロットで前記ＡＣＫ／ＮＡＣＫを受信する段階と、及び
前記端末から、前記第１ＰＵＣＣＨフォーマットがＰＵＣＣＨフォーマット１であり、前記第２ＰＵＣＣＨフォーマットがＰＵＣＣＨフォーマット０であることに基づいて、前記スロットで前記ＡＣＫ／ＮＡＣＫを前記ＳＲ無しに受信する段階と、を含む、方法。
【請求項６】
前記第１ＰＵＣＣＨフォーマットがＰＵＣＣＨフォーマット０であることに基づいて、前記ＡＣＫ／ＮＡＣＫのための循環シフトを決定するための第１値が前記ＡＣＫ／ＮＡＣＫの値に基づいて決定され、
前記第１値はＰＵＣＣＨフォーマット０を用いてＳＲ無いＡＣＫ／ＮＡＣＫ送信のための第２値と異なり、
前記第１値と前記第２値の差は３である、請求項５に記載の方法。
【請求項７】
前記第１ＰＵＣＣＨフォーマットがＰＵＣＣＨフォーマット０であることに基づいて、前記ＡＣＫ／ＮＡＣＫ送信のための循環シフトを決定するための値に肯定ＳＲ(ｐｏｓｉｔｉｖｅ  ＳＲ)のための予め設定された値が足され、
前記第１ＰＵＣＣＨフォーマットがＰＵＣＣＨフォーマット１であり、前記第２ＰＵＣＣＨフォーマットがＰＵＣＣＨフォーマット０であることに基づいて、前記ＳＲはドロップされることである、請求項５に記載の方法。
【請求項８】
無線通信システムの端末であって、
信号を送信及び受信するように設定された送受信部と、及び
プロセッサと、を含み、
前記プロセッサは、
ＡＣＫ／ＮＡＣＫ(ａｃｋｎｏｗｌｅｄｇｅ／ｎｏｎ−ａｃｋｎｏｗｌｅｄｇｅｍｅｎｔ)に対する第１ＰＵＣＣＨ(ｐｈｙｓｉｃａｌ  ｕｐｌｉｎｋ  ｃｏｎｔｒｏｌ  ｃｈａｎｎｅｌ)フォーマット及びスケジューリングリクエスト(ＳＲ)に対する第２ＰＵＣＣＨフォーマットを識別し、
前記ＡＣＫ／ＮＡＣＫの送信と前記ＳＲの送信がスロットでオーバーラップされるか識別し、
基地局へ、前記第１ＰＵＣＣＨフォーマットがＰＵＣＣＨフォーマット０であることに基づいて、前記スロットで前記ＡＣＫ／ＮＡＣＫを送信し、
前記基地局へ、前記第１ＰＵＣＣＨフォーマットがＰＵＣＣＨフォーマット１であり、前記第２ＰＵＣＣＨフォーマットがＰＵＣＣＨフォーマット０であることに基づいて、前記スロットで前記ＳＲ無しに前記ＡＣＫ／ＮＡＣＫを送信するように設定されることである、端末。
【請求項９】
前記第１ＰＵＣＣＨフォーマットがＰＵＣＣＨフォーマット０であることに基づいて、前記ＡＣＫ／ＮＡＣＫのための循環シフトを決定するための第１値が前記ＡＣＫ／ＮＡＣＫの値に基づいて決定されることである、請求項８に記載の端末。
【請求項１０】
前記第１値はＰＵＣＣＨフォーマット０を用いてＳＲ無いＡＣＫ／ＮＡＣＫ送信のための第２値とは異なり、
前記第１値と前記第２値の差は３である、請求項９に記載の端末。
【請求項１１】
前記第１ＰＵＣＣＨフォーマットがＰＵＣＣＨフォーマット０であることに基づいて、前記ＡＣＫ／ＮＡＣＫ送信のための循環シフトを決定するための値に肯定ＳＲ(ｐｏｓｉｔｉｖｅ  ＳＲのための予め設定された値が足され、
前記第１ＰＵＣＣＨフォーマットがＰＵＣＣＨフォーマット１であり、前記第２ＰＵＣＣＨフォーマットがＰＵＣＣＨフォーマット０であることに基づいて、前記ＳＲはドラップされることである、請求項８に記載の端末。
【請求項１２】
無線通信システムの基地局であって、
信号を送信及び受信するように設定された送受信部と、及び
プロセッサと、を含み、
前記プロセッサは、
端末で、ＡＣＫ／ＮＡＣＫのための第１ＰＵＣＣＨフォーマットに対する情報及びＳＲのための第２ＰＵＣＣＨフォーマットに対する情報を送信するように設定されるが、前記ＡＣＫ／ＮＡＣＫの送信と前記ＳＲの送信がスロット内でオーバーラップし、
前記端末から、前記第１ＰＵＣＣＨフォーマットがＰＵＣＣＨフォーマット０であることに基づいて、前記スロットで前記ＡＣＫ／ＮＡＣＫを受信し、
前記端末から、前記第１ＰＵＣＣＨフォーマットがＰＵＣＣＨフォーマット１であり、前記第２ＰＵＣＣＨフォーマットがＰＵＣＣＨフォーマット０であることに基づいて、前記スロットで前記ＡＣＫ／ＮＡＣＫを前記ＳＲ無しに受信するように設定されることである、基地局。
【請求項１３】
前記第１ＰＵＣＣＨフォーマットがＰＵＣＣＨフォーマット０であることに基づいて、前記ＡＣＫ／ＮＡＣＫのための循環シフトを決定するための第１値が前記ＡＣＫ／ＮＡＣＫの値に基づいて決定されることである、請求項１２に記載の基地局。
【請求項１４】
前記第１値はＰＵＣＣＨフォーマット０を用いてＳＲ無いＡＣＫ／ＮＡＣＫ送信のための第２値とは異なり、
前記第１値と前記第２値の差は３である、請求項１３に記載の基地局。
【請求項１５】
前記第１ＰＵＣＣＨフォーマットがＰＵＣＣＨフォーマット０であることに基づいて、前記ＡＣＫ／ＮＡＣＫ送信のための循環シフトを決定するための値に肯定ＳＲ(ｐｏｓｉｔｉｖｅ  ＳＲ)のための予め設定された値が足され、
前記第１ＰＵＣＣＨフォーマットがＰＵＣＣＨフォーマット１であり、前記第２ＰＵＣＣＨフォーマットがＰＵＣＣＨフォーマット０であることに基づいて、前記ＳＲはドラップされる、請求項１２に記載の基地局。
【発明の詳細な説明】
【技術分野】
【０００１】
本開示は、一般的に無線通信システムに関し、より具体的に次世代移動通信システムにおいてアップリンク制御チャンネル送信リソース設定方法に関する。
【背景技術】
【０００２】
４Ｇ通信システムの商用化以後に増加趨勢にある無線データトラフィック需要を満たすため、改善された５Ｇ通信システム又はｐｒｅ−５Ｇ通信システムを開発するための努力が成りつつある。このような理由で、５Ｇ通信システム又はｐｒｅ−５Ｇ通信システムは４Ｇネットワーク以後(Ｂｅｙｏｎｄ ４Ｇ Ｎｅｔｗｏｒｋ)通信システム又はＬＴＥシステム以後(Ｐｏｓｔ ＬＴＥ)のシステムと呼ばれている。高いデータ送信率を達成するために、５Ｇ通信システムは超高周波(ｍｍＷａｖｅ)帯域(例えば、６０ギガ(６０ＧＨｚ)帯域のような)での具現が考慮されている。超高周波帯域での電波の経路損失の緩和及び電波の伝達距離を増加させるために、５Ｇ通信システムではビームフォーミング(ｂｅａｍｆｏｒｍｉｎｇ)、巨大配列多重入出力(ｍａｓｓｉｖｅ ＭＩＭＯ)、全次元多重入出力(Ｆｕｌｌ Ｄｉｍｅｎｓｉｏｎａｌ ＭＩＭＯ：ＦＤ−ＭＩＭＯ)、アレイアンテナ(ａｒｒａｙ ａｎｔｅｎｎａ)、アナログビームフォーミング(ａｎａｌｏｇ ｂｅａｍ−ｆｏｒｍｉｎｇ)、及び大規模アンテナ(ｌａｒｇｅ ｓｃａｌｅ ａｎｔｅｎｎａ)技術が論議されている。さらに、システムのネットワーク改善のために、５Ｇ通信システムでは進化された小型セル、改善した小型セル(ａｄｖａｎｃｅｄ ｓｍａｌｌ ｃｅｌｌ)、クラウド無線アクセスネットワーク(ｃｌｏｕｄ ｒａｄｉｏ ａｃｃｅｓｓ ｎｅｔｗｏｒｋ：ｃｌｏｕｄ ＲＡＮ)、超高密度ネットワーク(ｕｌｔｒａ−ｄｅｎｓｅ ｎｅｔｗｏｒｋ)、機器間の通信(Ｄｅｖｉｃｅ ｔｏ Ｄｅｖｉｃｅ ｃｏｍｍｕｎｉｃａｔｉｏｎ：Ｄ２Ｄ)、無線バックホール(ｗｉｒｅｌｅｓｓ ｂａｃｋｈａｕｌ)、移動ネットワーク(ｍｏｖｉｎｇ ｎｅｔｗｏｒｋ)、協力通信(ｃｏｏｐｅｒａｔｉｖｅ ｃｏｍｍｕｎｉｃａｔｉｏｎ)、ＣｏＭＰ(Ｃｏｏｒｄｉｎａｔｅｄ Ｍｕｌｔｉ−Ｐｏｉｎｔｓ)、及び受信干渉除去(ｉｎｔｅｒｆｅｒｅｎｃｅ ｃａｎｃｅｌｌａｔｉｏｎ)などの技術開発が成りつつある。この以外にも、５Ｇシステムでは進歩されたコーディング変調(Ａｄｖａｎｃｅｄ Ｃｏｄｉｎｇ Ｍｏｄｕｌａｔｉｏｎ：ＡＣＭ)方式であるＦＱＡＭ(Ｈｙｂｒｉｄ ＦＳＫ ａｎｄ ＱＡＭ Ｍｏｄｕｌａｔｉｏｎ)及びＳＷＳＣ(Ｓｌｉｄｉｎｇ ＷｉｎｄｏｗＳｕｐｅｒ ｐｏｓｉｔｉｏｎ Ｃｏｄｉｎｇ)と、進歩された接続技術であるＦＢＭＣ(Ｆｉｌｔｅｒ Ｂａｎｋ Ｍｕｌｔｉ Ｃａｒｒｉｅｒ)、ＮＯＭＡ(ｎｏｎ ｏｒｔｈｏｇｏｎａｌ ｍｕｌｔｉｐｌｅ ａｃｃｅｓｓ)、及びＳＣＭＡ(ｓｐａｒｓｅ ｃｏｄｅ ｍｕｌｔｉｐｌｅ ａｃｃｅｓｓ)などが開発されている。
【０００３】
一方、インターネットは事物などの分散された構成要素の間に情報を取り交わして処理するＩｏＴ(Ｉｎｔｅｒｎｅｔ ｏｆ Ｔｈｉｎｇｓ、事物インターネット)網に進化しつつある。クラウドサーバーなどとの接続を通じるビックデータ(Ｂｉｇｄａｔａ)処理技術などがＩｏＴ技術に結合されたＩｏＥ(Ｉｎｔｅｒｎｅｔ ｏｆ Ｅｖｅｒｙｔｈｉｎｇ)技術も台頭している。ＩｏＴを具現するために、センシング技術、有無線通信及びネットワークインフラ、サービスインターフェース技術、及び保安技術のような技術要素が要求され、最近には事物間の接続のためのセンサーネットワーク(ｓｅｎｓｏｒ ｎｅｔｗｏｒｋ)、マシンツーマシン(Ｍａｃｈｉｎｅｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が研究されている。ＩｏＴ環境では接続された事物で生成されたデータを収集、分析して人間の生活に新しい価値を創出する知能型ＩＴ(Ｉｎｔｅｒｎｅｔ Ｔｅｃｈｎｏｌｏｇｙ)サービスが提供されることができる。ＩｏＴは既存のＩＴ(ｉｎｆｏｒｍａｔｉｏｎ ｔｅｃｈｎｏｌｏｇｙ)技術と多様な産業間の融合及び複合を介してスマートホーム、スマートビルディング、スマートシティ、スマートカー又はコネクテッドカー、スマートグリッド、ヘルスケア、スマート家電、先端医療サービスなどの分野に応用されることができる。
【０００４】
これに、５Ｇ通信システムをＩｏＴ網に適用するための多様な試みが成っている。例えば、センサーネットワーク(ｓｅｎｓｏｒ ｎｅｔｗｏｒｋ)、マシンツーマシン(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が５Ｇ通信技術がビームフォーミング、ＭＩＭＯ、及びアレイアンテナなどの技法によって具現されていることである。前述したビックデータ処理技術としてクラウド無線アクセスネットワーク(ｃｌｏｕｄ ＲＡＮ)が適用されることも５Ｇ技術とＩｏＴ技術融合の一例と言えるだろう。
【０００５】
最近、ＬＴＥ(Ｌｏｎｇ  Ｔｅｒｍ  Ｅｖｏｌｕｔｉｏｎ)及びＬＴＥ−Ａｄｖａｎｃｅｄの発展によって次世代移動通信システムにおいてアップリンク制御チャンネル送信リソース設定及び装置が必要である。
【発明の概要】
【発明が解決しようとする課題】
【０００６】
５Ｇ無線通信システムは、既存とは異なり、高い伝送速度を要求するサービスだけではなく非常に短い送信遅延を有するサービス及び高い接続密度を要求するサービスをいずれもサポートしようとする。このようなシナリオはユーザの多様な要求事項及びサービスを満足させるために一つのシステムで互いに異なる送受信技法、送受信パラメータを有する多様なサービスを提供しなければならなく、今後の互換性(Ｆｏｒｗａｒｄ  ｃｏｍｐａｔｉｂｉｌｉｔｙ)を考慮して追加されるサービスが現在システムによって制限される制約事項が発生しないように設計することが重要である。不可欠で５Ｇでは既存のＬＴＥとは異なるように時間及び周波数リソースをより柔軟に活用しなければならない。その中でも特に制御チャンネル設計において柔軟性を確保することが非常に重要な事項中の一つである。このような目的に５Ｇ通信システムにおいてダウンリンク制御チャンネルはシステム全帯域にかけて送信されず特定サブバンド(Ｓｕｂｂａｎｄ)で送信されることができ、ダウンリンク制御チャンネルが送信される時間及び周波数リソースが各端末に設定されることができる。
【０００７】
５Ｇシステムにおいて数Ｇｂｐｓに至る超高速データサービスを達成するすために、数十〜百ＭＨｚ、或いは数ＧＨｚの超広帯域幅の信号送受信を考慮している。ただ、送受信帯域幅に比例して消耗電力が大きくなる関係によって、送受信帯域幅調節を介して端末又は基地局の電力消耗を効率的に管理する必要がある。基地局は常時電源が供給されることができるのに比べ、端末はバッテリー容量制限により効率的な電力消耗管理の必要性が相対的により高い。したがって、端末に対する超広帯域幅の信号送受信が必要ではない場合、基地局が端末の送受信帯域幅を狭帯域に変更させることによって端末の電力消耗を効率的に管理することができる。
【０００８】
前述したように端末の送受信帯域幅が調節(Ａｄａｐｔａｔｉｏｎ)又は変更(ｓｗｉｔｃｈｉｎｇ)される動作において、基地局は各送受信帯域幅が調節される場合によってダウンリンク制御チャンネルが送信される制御領域(Ｃｏｎｔｒｏｌ  Ｒｅｓｏｕｒｃｅ  Ｓｅｔ)又はアップリンク制御チャンネル(ＰＵＣＣＨ)が送信されるリソースなどを効率的に端末に設定しなければならない。
【課題を解決するための手段】
【０００９】
本開示は、上述した短所を解消して後述する長所を提供するためのことである。
【００１０】
本開示の一様態によれば、無線通信システムにおいて端末によって行われる方法が提供される。このような方法は、ＡＣＫ／ＮＡＣＫ(ａｃｋｎｏｗｌｅｄｇｅｍｅｎｔ／ｎｏｎ−ａｃｋｎｏｗｌｅｄｇｅｍｅｎｔ)のための第１ＰＵＣＣＨ(ｐｈｙｓｉｃａｌ  ｕｐｌｉｎｋ  ｃｏｎｔｒｏｌ  ｃｈａｎｎｅｌ)フォーマット及びＳＲ(ｓｃｈｅｄｕｌｉｎｇ  ｒｅｑｕｅｓｔ)のための第２ＰＵＣＣＨフォーマットを識別する段階と、前記ＡＣＫ／ＮＡＣＫの送信と前記ＳＲの送信がスロット内でオーバーラップするかを判断する段階と、前記第１ＰＵＣＣＨフォーマットがＰＵＣＣＨフォーマット０であれば、前記スロットで前記ＡＣＫ／ＮＡＣＫを基地局へ送信する段階と、及び前記第１ＰＵＣＣＨフォーマットがＰＵＣＣＨフォーマット１であり、前記第２ＰＵＣＣＨフォーマットがＰＵＣＣＨフォーマット０であれば、前記スロットで前記ＡＣＫ／ＮＡＣＫを前記ＳＲ無しに前記基地局へ送信する段階と、を含む。
【００１１】
本開示の一様態によれば、無線通信システムにおいて基地局によって行われる方法が提供される。このような方法は、端末で、ＡＣＫ／ＮＡＣＫのための第１ＰＵＣＣＨフォーマットに対する情報及びＳＲのための第２ＰＵＣＣＨフォーマットに対する情報を送信する段階として、前記ＡＣＫ／ＮＡＣＫの送信と前記ＳＲの送信がスロット内でオーバーラップすることである段階と、前記第１ＰＵＣＣＨフォーマットがＰＵＣＣＨフォーマット０であれば、前記端末から前記スロットで前記ＡＣＫ／ＮＡＣＫを受信する段階と、及び前記第１ＰＵＣＣＨフォーマットがＰＵＣＣＨフォーマット１であり、前記第２ＰＵＣＣＨフォーマットがＰＵＣＣＨフォーマット０であれば、前記スロットで前記端末から前記ＡＣＫ／ＮＡＣＫを前記ＳＲ無しに受信する段階と、を含む。
【００１２】
本開示の一様態によれば、無線通信システムで端末が提供される。前記端末は信号を送信及び受信するように設定された送受信部及びプロセッサを含み、前記プロセッサはＡＣＫ／ＮＡＣＫのための第１ＰＵＣＣＨフォーマット及びＳＲのための第２ＰＵＣＣＨフォーマットを識別し、前記ＡＣＫ／ＮＡＣＫの送信と前記ＳＲの送信がスロット内でオーバーラップするかを判断し、前記第１ＰＵＣＣＨフォーマットがＰＵＣＣＨフォーマット０であれば、前記スロットで前記ＡＣＫ／ＮＡＣＫを基地局へ送信し、前記第１ＰＵＣＣＨフォーマットがＰＵＣＣＨフォーマット１であり、前記第２ＰＵＣＣＨフォーマットがＰＵＣＣＨフォーマット０であれば、前記スロットで前記ＡＣＫ／ＮＡＣＫを前記ＳＲ無しに前記基地局へ送信するように設定される。
【００１３】
本開示の一様態によれば、無線通信システムで基地局が提供される。前記基地局は信号を送信及び受信するように設定された送受信部及びプロセッサを含み、前記プロセッサは、端末でＡＣＫ／ＮＡＣＫのための第１ＰＵＣＣＨフォーマットに対する情報及びＳＲのための第２ＰＵＣＣＨフォーマットに対する情報を送信し、前記ＡＣＫ／ＮＡＣＫの送信と前記ＳＲの送信がスロット内でオーバーラップし、前記第１ＰＵＣＣＨフォーマットがＰＵＣＣＨフォーマット０であれば、前記端末から前記スロットで前記ＡＣＫ／ＮＡＣＫを受信し、前記第１ＰＵＣＣＨフォーマットがＰＵＣＣＨフォーマット１であり、前記第２ＰＵＣＣＨフォーマットがＰＵＣＣＨフォーマット０であれば、前記スロットで前記端末から前記ＡＣＫ／ＮＡＣＫを前記ＳＲ無しに受信するように設定される。
【発明の効果】
【００１４】
上述したように、本開示は５Ｇ通信システムにおいてアップリンク制御チャンネルとアップリンクデータチャンネルのリソースを設定する方法及び装置を提供することによって５Ｇシステムをより効率的に操作する。
【００１５】
本開示の特定実施例の上述した及び他の様態、特徴及び利点は添付された図面に係って取られた次の説明からより明らかになるだろう。
【図面の簡単な説明】
【００１６】
【図１】ＬＴＥで時間−周波数領域の基本構造の図面である。
【図２】ＬＴＥのダウンリンク制御チャンネルの図面である。
【図３】ダウンリンク制御チャンネルの図面である。
【図４】５Ｇダウンリンク制御チャンネルに対するリソース領域割り当て方法の図面である。
【図５】５Ｇアップリンク制御チャンネルに対するリソース領域割り当て方法の図面である。
【図６】５Ｇ帯域幅部分設定及びアップリンク制御チャンネルリソース設定の図面である。
【図７】一実施例によって送受信帯域幅を調節する過程の図面である。
【図８】一実施例によるシステムの図面である。
【図９】一実施例による端末の図面である。
【図１０】一実施例による端末動作の図面である。
【図１１】一実施例による端末動作の図面である。
【図１２】一実施例による端末の内部構造の図面である。
【図１３】一実施例による基地局の内部構造の図面である。
【図１４】一実施例によって帯域幅部分でアップリンクチャンネル送信を示す図面である。
【発明を実施するための形態】
【００１７】
本開示の実施例は添付図面を参照して以下に説明されるだろう。しかし、本開示の実施例は特定実施例に制限されず、本開示のすべての修正、変更、同等な装置及び方法、及び／又は代案的な実施例を含むことに解釈されなければならない。図面の説明で、類似の要素に対しては類似の参照符号が用いられる。
【００１８】
本願に用いられた用語“有する(ｈａｖｅ)”、“有することができる(ｍａｙ ｈａｖｅ)”、“含む(ｉｎｃｌｕｄｅ)”及び“含むことができる(ｍａｙ ｉｎｃｌｕｄｅ)”は相応する特徴(例えば、数値、機能、動作又は部品のような要素)の存在を示し、追加機能の存在を排除しない。
【００１９】
本願に用いられた用語“Ａ又はＢ”、“Ａ又は／及びＢのうちの少なくとも一つ”又は“一つ以上のＡ又は／及び Ｂ”はそれらと共に列挙された項目のすべての可能な組み合せを含む。例えば、“Ａ又はＢ”、“Ａ及びＢのうちの少なくとも一つ”又は“Ａ又はＢのうちの少なくとも一つ”は(１)一つ以上のＡを含むか、(２)一つ以上のＢを含むか、(３)少なくとも一つのＡ及び少なくとも一つのＢを含むことを意味する。
【００２０】
本明細書で用いられた“第１”及び“第２”のような用語は重要度又は手順にかかわらず対応する構成要素を用いることができ、構成要素を制限せず構成要素を他の構成要素と区別するために用いられる。これら用語は一つの構成要素を他の構成要素と区別するために用いられることができる。例えば、第１ユーザ装置及び第２ユーザ装置は手順又は重要度にかかわらず他のユーザ装置を示す。例えば、本発明の権利範囲を逸脱しないながら第１構成要素は第２構成要素で命名されることができ、類似に第２構成要素も第１構成要素で命名されることができる。
【００２１】
構成要素(例えば、第１構成要素)が他の構成要素(例えば、第２構成要素)と“(作動的(ｏｐｅｒａｔｉｖｅｌｙ)又は通信的に(ｃｏｍｍｕｎｉｃａｔｉｖｅｌｙ))結合されたり”又は“接続される”場合、構成要素は他の構成要素と直接結合されることができ、他の構成要素と他の構成要素の間の介在(ｉｎｔｅｒｖｅｎｉｎｇ)構成要素(例えば、第３構成要素)があれば良いことを理解するだろう。反対に、どんな構成要素(例えば、第１構成要素)が他の構成要素(例えば、第２構成要素)と“直接結合されて”いるか“直接接続されて”いる時、要素と他の要素の間に他の構成要素(例えば、第３構成要素)が中間に存在しないことで理解されるだろう。
【００２２】
本明細書で用いられる“構成される(又は設定される)”という表現は状況に従い“適合な(ｓｕｉｔａｂｌｅ ｆｏｒ)”、“能力を有する(ｈａｖｉｎｇ ｔｈｅ ｃａｐａｃｉｔｙ ｔｏ)”、“設計された(ｄｅｓｉｇｎｅｄ ｔｏ)”、“適応する(ａｄａｐｔｅｄ ｔｏ)”、“作られる(ｍａｄｅ ｔｏ)”又は“可能である(ｃａｐａｂｌｅ ｏｆ)”と相互交換的に用いられることができる。“構成(設定)”という用語が必ずハードウェア水準で“特別に設計された”を意味することではない。代りに、“〜から構成された装置”という表現は装置が特定状況で他の装置又は部品と共に“可能である(ｃａｐａｂｌｅ ｏｆ)”と言うことを意味することができる。例えば、“Ａ、Ｂ及びＣを行うように設定されたプロセッサ”は当該動作を行うための専用プロセッサ(例えば、内装プロセッサ)又はメモリー装置に記憶された一つ以上のソフトウェアプログラムを行うことによって対応する動作を行うことができる汎用プロセッサ(例えば、中央処理装置(ＣＰＵ)又はアプリケーションプロセッサ(ＡＰ)を意味することができる。
【００２３】
本開示の多様な実施例を説明するのに用いられた用語は特定実施例を説明するためのことで本開示を制限しようとすることではない。単数の表現は文脈上明白に異なるように意味しない限り、複数の表現を含む。技術的や科学的な用語を含んでここで用いられるすべての用語は異なるように定義されない限り、関連技術分野の通常の知識を有する者によって一般的に理解されることと同一な意味を有する。一般的に用いられる事前に定義された用語は関連技術の文脈的意味と同一又は類似の意味を有することで解釈されなければならなく、本明細書で明確に定義されない限り理想的や誇張された意味を有することで解釈されてはいけない。場合によって、本文書で定義された用語であっても本開示の実施例を排除するように解釈なれない。
【００２４】
本明細書で用いられる用語“モジュール”は例えば、ハードウェア、ソフトウェア及びファームウエアのうちの一つを含むユニット又はこれらのうちの２つ以上の組み合せを意味することができる。“モジュール”という用語は例えば、“ユニット”、“ロジッグ”、“論理ブロック”、“コンポネント”又は“回路”と相互交換的に用いられることができる。“モジュール”は集積構成要素の最小単位又はその一部であれば良い。“モジュール”は一つ以上の機能又はその一部を行うための最小ユニットであれば良い。“モジュール”は機械的又は電子的に具現されることができる。例えば、本開示による“モジュール”は良く知られるか以後開発される動作を行うためのＡＳＩＣ(ａｐｐｌｉｃａｔｉｏｎ-ｓｐｅｃｉｆｉｃ ｉｎｔｅｇｒａｔｅｄ ｃｉｒｃｕｉｔ)チップ、ＦＰＧＡ(ｆｉｅｌｄ-ｐｒｏｇｒａｍｍａｂｌｅ ｇａｔｅ ａｒｒａｙ)、及び以前に行われた動作を行うためのプログラマブル−ロジッグ装置のうちの少なくとも一つを含むことができる。
【００２５】
本開示による電子装置は、例えば、スマートフォン、タブレットパーソナルコンピューター(ＰＣ)、携帯電話、ビデオフォン、電子ブックリーダー(ｅ-ｂｏｏｋ ｒｅａｄｅｒ)、デスクトップＰＣ、ラップトップＰＣ、ネットブックコンピューター、ワークステーション、サーバー、ＰＤＡ(Ｐｅｒｓｏｎａｌ  Ｄｉｇｉｔａｌ  Ａｓｓｉｓｔａｎｔ)、ＰＭＰ(Ｐｏｒｔａｂｌｅ  Ｍｕｌｔｉｍｅｄｉａ  Ｐｌａｙｅｒ）、ＭＰＭ(ＭＰＥＧ−１  Ａｕｄｉｏ  Ｌａｙｅｒ−３)プレーヤー、モバイル医療機器、カメラ及びウェアラブル機器のうちの少なくとも一つを含むことができる。ウェアラブル装置はアクセサリータイプ(例えば、時計、指輪、腕輪、アンクレット、ネックレス、メガネ、コンタクトレンズ又はＨＭＤ(Ｈｅａｄ-ｍｏｕｎｔｅｄ Ｄｅｖｉｃｅ))、衣類一体型(例えば、電子衣類)、身体装着型(例えば、スキンパッド又はタトゥー)、及び生体移植型(例えば、移植型回路)のうちの少なくとも一つを含むことができる。
【００２６】
電子装置は家電製品であれば良い。家電機器は、例えば、テレビ、ＤＶＤ(ｄｉｇｉｔａｌ ｖｉｄｅｏ ｄｉｓｋ)プレーヤー、オーディオ、冷蔵庫、エアコン、真空清掃器、オーブン、電子レンジ、洗濯機、エアクリーナー、セットトップボックス、ホームオートメーションコントロールパネル、保安コントロールパネル、ＴＶボックス(例えば、Ｓａｍｓｕｎｇ ＨｏｍｅＳｙｎｃＴＭ、Ａｐｐｌｅ ＴＶＴＭ 又はＧｏｏｇｌｅ ＴＶＴＭ)、ゲームコンソール(例えば、ＸｂｏｘＴＭ及びＰｌａｙＳｔａｔｉｏｎＴＭ)、電子辞典、電子キー、キャムコーダ及び電子写真フレームのうちの少なくとも一つを含むことができる。
【００２７】
電子装置は多様な医療装置(例えば、多様な携帯用医療測定装置(血糖モニタリング装置、心臓搏動数モニタリング装置、血圧測定装置、体温測定装置など)、磁氣共鳴血管造影術(ＭＲＡ)、磁氣共鳴映像(ＭＲＩ)、コンピューター断層撮影(ＣＴ)機械及び超音波機械)、ナビゲーション装置、ＧＰＳ(Ｇｌｏｂａｌ Ｐｏｓｉｔｉｏｎｉｎｇ Ｓｙｓｔｅｍ)受信機、イベントデータレコーダー(ＥＤＲ)、飛行データ記録器(ＦＤＲ)、車両インフォテーンメント装置、船舶用電子装置(例えば、船舶用ナビゲーション装置及びジャイロコンパス)、航空電子工学、保安装置、自動車ヘッドユニット、家庭用ロボット又は産業、銀行の現金自動預け払い機(ＡＴＭ)、商店のＰＯＳ(Ｐｏｉｎｔ ｏｆ Ｓａｌｅｓ)装置又はＩｏＴ装置(例えば、電球、多様なセンサー、電気又はガス計量器、スプリンクラー装置、火事報知機、温度調節装置、街燈、トースター、スポーツ用品、お湯タンク、ヒーター、ボイラーなど)のうちの少なくとも一つを含むことができる。
【００２８】
電子装置は家具又は建物／構造の一部、電子ボード、電子署名受信装置、プロジェクター及び多様な種類の測定装置(例えば、水道メートル、電気メートル、ガスメートル及びマイクロウェーブメートル)のうちの少なくとも一つを含むことができる。電子装置は前述な多様な装置のうちの一つ又はその以上の組み合せあれば良い。電子装置はさらにフレキシブルデバイスであれば良い。また、電子装置は前述した機器に限定されず、新しい技術開発による電子装置を含むことができる。
【００２９】
以下、添付された図面を参照して電子装置に対して説明する。
【００３０】
本明細書で、ユーザという用語は電子装置を用いる人又は電子装置を用いる装置(例えば、人工知能電子装置)を意味する。無線通信システムは初期の音声中心のサービスを提供したことから逸脱して例えば、３ＧＰＰのＨＳＰＡ(Ｈｉｇｈ  Ｓｐｅｅｄ  Ｐａｃｋｅｔ  Ａｃｃｅｓｓ)、ＬＴＥ(Ｌｏｎｇ  Ｔｅｒｍ  Ｅｖｏｌｕｔｉｏｎ又はＥ−ＵＴＲＡ(Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ))、ＬＴＥ−Ａｄｖａｎｃｅｄ(ＬＴＥ−Ａ)、ＬＴＥ−Ｐｒｏ、３ＧＰＰ２のＨＲＰＤ(Ｈｉｇｈ  Ｒａｔｅ  Ｐａｃｋｅｔ  Ｄａｔａ)、ＵＭＢ(Ｕｌｔｒａ  Ｍｏｂｉｌｅ  Ｂｒｏａｄｂａｎｄ)、及びＩＥＥＥの８０２．１６ｅなどの通信標準のように高速、ハイクオリティーのパケットデータサービスを提供する広帯域無線通信システムで発展している。
【００３１】
前記広帯域無線通信システムの代表的な例で、ＬＴＥシステムではダウンリンク(Ｄｏｗｎｌｉｎｋ；ＤＬ)ではＯＦＤＭ(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)方式を採用しており、アップリンク(Ｕｐｌｉｎｋ；ＵＬ)ではＳＣ−ＦＤＭＡ(Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ)方式を採用している。アップリンクは端末(ＵＥ(Ｕｓｅｒ  Ｅｑｕｉｐｍｅｎｔ)又はＭＳ(Ｍｏｂｉｌｅ  Ｓｔａｔｉｏｎ))が基地局(ｅＮｏｄｅ  Ｂ、又はｂａｓｅ  ｓｔａｔｉｏｎ(ＢＳ))でデータ又は制御信号を送信する無線リンクを意味し、ダウンリンクは基地局が端末でデータ又は制御信号を送信する無線リンクを意味する。前記のような多重接続方式は、通常各ユーザ別にデータ又は制御情報を送信する時間−周波数リソースを互いに重ならないように、すなわち、直交性(Ｏｒｔｈｏｇｏｎａｌｉｔｙ)が成り立つように、割り当て及び操作することによって各ユーザのデータ又は制御情報を区分する。
【００３２】
ＬＴＥ以後の今後の通信システムとして、すなわち、５Ｇ通信システムはユーザ及びサービス提供者などの多様な要求事項を自由に反映しなければならないから多様な要求事項を同時に満足するサービスがサポートされなければならない。５Ｇ通信システムのために考慮されるサービスとしては向上したモバイル広帯域通信(ｅｎｈａｎｃｅｄ  Ｍｏｂｉｌｅ  Ｂｒｏａｄｂａｎｄ、ｅＭＢＢ)、大規模機械型通信(ｍａｓｓｉｖｅ  ｍａｃｈｉｎｅ  ｔｙｐｅ  ｃｏｍｍｕｎｉｃａｔｉｏｎ、ｍＭＴＣ)、超信頼低遅延通信(Ｕｌｔｒａ  Ｒｅｌｉａｂｉｌｉｔｙ  Ｌｏｗ  Ｌａｔｅｎｃｙ  Ｃｏｍｍｕｎｉｃａｔｉｏｎ、ＵＲＬＬＣ)などがある。
【００３３】
ｅＭＢＢは既存のＬＴＥ、ＬＴＥ−Ａ又はＬＴＥ−Ｐｒｏがサポートするデータ送信速度よりより向上したデータ送信速度を提供することを目標とする。例えば、５Ｇ通信システムでｅＭＢＢは一つの基地局観点でダウンリンクでは２０Ｇｂｐｓの最大送信速度(ｐｅａｋ  ｄａｔａ  ｒａｔｅ)、アップリンクでは１０Ｇｂｐｓの最大送信速度を提供しなければならない。さらに、５Ｇ通信システムは最大送信速度を提供する同時に、増加された端末の実際体感送信速度(Ｕｓｅｒ  ｐｅｒｃｅｉｖｅｄ  ｄａｔａ  ｒａｔｅ)を提供しなければならない。このような要求事項を満足させるため、より向上した多重入力多重出力(ＭＩＭＯ)送信技術を含む多様な送受信技術の向上を要求する。また、現在のＬＴＥが用いる２ＧＨｚ帯域で最大２０ＭＨｚ送信帯域幅を用いて信号を送信する一方、５Ｇ通信システムは３〜６ＧＨｚ又は６ＧＨｚ以上の周波数帯域で２０ＭＨｚより広い周波数帯域幅を用いることによって５Ｇ通信システムで要求するデータ送信速度を満足させることができる。
【００３４】
同時に、５Ｇ通信システムで事物インターネット(ＩｏＴ)のような応用サービスをサポートするためにｍＭＴＣが考慮されている。ｍＭＴＣは効率的に事物インターネットを提供するためにセル内で大規模端末の接続サポート、端末のカバレージ向上、向上したバッテリー時間、端末の費用減少などが要求される。事物インターネットは様々なセンサー及び多様な機器に付着して通信機能を提供するのでセル内で多くの数の端末(例えば、１、０００、０００端末／ｋｍ２)をサポートしなければならない。また、ｍＭＴＣをサポートする端末はサービスの特性上、建物の地下のようにセルがカバーすることができない陰影地域に位置する可能性が高いので５Ｇ通信システムで提供する他のサービス対比より広いカバレッジを要求する。ｍＭＴＣをサポートする端末は低価の端末で構成されなければならなく、端末のバッテリーをよく交換し難いいから１０〜１５年のように非常に長いバッテリー生命時間(ｂａｔｔｅｒｙ  ｌｉｆｅ  ｔｉｍｅ)が要求される。
【００３５】
最後に、ＵＲＬＬＣの場合、特定な目的(ｍｉｓｓｉｏｎ−ｃｒｉｔｉｃａｌ)で用いられるセルラー基盤無線通信サービスである。例えば、ロボット(Ｒｏｂｏｔ)又は機械装置(Ｍａｃｈｉｎｅｒｙ)に対するリモートコントロール(ｒｅｍｏｔｅ  ｃｏｎｔｒｏｌ)、産業自動化(ｉｎｄｕｓｔｒｉａｌ  ａｕｔｏｍａｔｉｏｎ)、無人飛行装置(Ｕｎｍａｎｅｄ  Ａｅｒｉａｌ  Ｖｅｈｉｃｌｅ)、遠隔健康制御(Ｒｅｍｏｔｅ  ｈｅａｌｔｈ  ｃａｒｅ)、非常状況アラート(ｅｍｅｒｇｅｎｃｙ  ａｌｅｒｔ)などに用いられるサービスなどを考慮することができる。したがって、ＵＲＬＬＣの提供する通信は非常に低い低遅延及び非常に高い信頼も提供しなければならない。例えば、ＵＲＬＬＣをサポートするサービスは０．５ミリ秒より小さい無線接続遅延時間(Ａｉｒ  ｉｎｔｅｒｆａｃｅ  ｌａｔｅｎｃｙ)を満足しなければならなく、同時に１０−５以下のパケットエラー率(Ｐａｃｋｅｔ  Ｅｒｒｏｒ  Ｒａｔｅ)の要求事項を有する。したがって、ＵＲＬＬＣをサポートするサービスのために５Ｇシステムは他のサービスより小さい送信時間区間(Ｔｒａｎｓｍｉｔ  Ｔｉｍｅ  Ｉｎｔｅｒｖａｌ、ＴＴＩ)を提供しなければならなく、同時に通信リンクの信頼性を確保するために周波数帯域で広いリソースを割り当てなければならない設計事項が要求される。
【００３６】
５Ｇの３つのサービス、すなわち、ｅＭＢＢ、ＵＲＬＬＣ、ｍＭＴＣは一つのシステムで多重化されて送信されることができる。この時、それぞれのサービスが有する異なる要求事項を満足させるためにサービス間に互いに異なる送受信技法及び送受信パラメーターを用いることができる。
【００３７】
以下、ＬＴＥ及びＬＴＥ−Ａシステムのフレーム構造に対して図面を参照してより具体的に説明する。
【００３８】
図１は、ＬＴＥでシステムでダウンリンクで前記データ又は制御チャンネルが送信される無線リソース領域である時間−周波数領域の基本構造を示した図面である。  
【００３９】
図１で横軸は時間領域を、縦軸は周波数領域を示す。時間領域での最小送信単位はＯＦＤＭシンボルとして、Ｎｓｙｍｂ１０１個のＯＦＤＭシンボルが集まって一つのスロット１０２を構成し、２個のスロットが集まって一つのサブフレーム１０３を構成する。前記スロットの長さは０．５ｍｓであり、サブフレームの長さは１．０ｍｓである。そして、ラジオフレーム１０４は１０個のサブフレームから構成される時間領域単位である。周波数領域での最小送信単位はサブキャリア(Ｓｕｂｃａｒｒｉｅｒ)として、全体システム送信帯域(Ｔｒａｎｓｍｉｓｓｉｏｎ  Ｂａｎｄｗｉｄｔｈ)の帯域幅は総ＮＢＷ１０５個のサブキャリアから構成される。時間−周波数領域でリソースの基本単位はリソースエレメント(１０６、Ｒｅｓｏｕｒｃｅ  Ｅｌｅｍｅｎｔ、ＲＥ)としてＯＦＤＭシンボルインデックス及びサブキャリアインデックスで示すことができる。リソースブロック(１０７、Ｒｅｓｏｕｒｃｅ  Ｂｌｏｃｋ、ＲＢ又はＰｈｙｓｉｃａｌ  Ｒｅｓｏｕｒｃｅ  Ｂｌｏｃｋ、ＰＲＢ)は時間領域でＮｓｙｍｂ１０１個の連続されたＯＦＤＭシンボルと周波数領域でＮＲＢ１０８個の連続されたサブキャリアで定義される。したがって、一つのＲＢ１０８はＮｓｙｍｂ  ｘ  ＮＲＢ個のＲＥ１０６から構成される。一般的にデータの最小送信単位は前記ＲＢ単位である。ＬＴＥシステムにおいて一般的に前記Ｎｓｙｍｂ＝７、ＮＲＢ＝１２であり、ＮＢＷ及びＮＲＢはシステム送信帯域の帯域幅に比例する。
【００４０】
次に、ＬＴＥ及びＬＴＥ−Ａシステムでのダウンリンク制御情報(ＤＣＩ)に対して具体的に説明する。
【００４１】
ＬＴＥシステムでダウンリンクデータ又はアップリンクデータに対するスケジューリング情報はＤＣＩを介して基地局から端末に伝達する。ＤＣＩは様々なフォーマットを定義し、アップリンクデータに対するスケジューリング情報であるかダウンリンクデータに対するスケジューリング情報であるか否か、制御情報の大きさが小さいコンパクトＤＣＩであるか否か、多重アンテナを用いた空間多重化(ｓｐａｔｉａｌ  ｍｕｌｔｉｐｌｅｘｉｎｇ)を適用するか否か、及び電力制御用ＤＣＩであるか否かなどによってさ定められたＤＣＩフォーマットを適用して操作する。例えば、ダウンリンクデータに対するスケジューリング制御情報であるＤＣＩ  ｆｏｒｍａｔ１は少なくとも次のような制御情報を含むように構成される。
【００４２】
（１）リソース割り当て類型０／１フラッグ(Ｒｅｓｏｕｒｃｅ  ａｌｌｏｃａｔｉｏｎ  ｔｙｐｅ  ０／１ｆｌａｇ)：リソース割り当て方式が類型０又は類型１であるか通知する。類型０はビットマップ方式を適用してＲＢＧ(ｒｅｓｏｕｒｃｅ  ｂｌｏｃｋ  ｇｒｏｕｐ)単位でリソースを割り当てる。ＬＴＥシステムにおいてスケジューリングの基本単位は時間及び周波数領域リソースで表現されるＲＢであり、ＲＢＧは複数個のＲＢから構成されて類型０方式でのスケジューリングの基本単位となる。類型１はＲＢＧ内で特定ＲＢを割り当てるようにする。
【００４３】
（２）リソースブロック割り当て(Ｒｅｓｏｕｒｃｅ  ｂｌｏｃｋ  ａｓｓｉｇｎｍｅｎｔ)：データ送信に割り当てられたＲＢを通知する。システム帯域幅及びリソース割り当て方式によって表現するリソースが決定される。
【００４４】
（３）変調及びコーディング方式(Ｍｏｄｕｌａｔｉｏｎ  ａｎｄ  ｃｏｄｉｎｇ  ｓｃｈｅｍｅ；ＭＣＳ)：データ送信に用いられた変調方式と送信しようとするデータであるｔｒａｎｓｐｏｒｔ  ｂｌｏｃｋの大きさを通知する。
【００４５】
（４）ＨＡＲＱ(ｈｙｂｒｉｄ  ａｕｔｏｍａｔｉｃ  ｒｅｐｅａｔ  ｒｅｑｕｅｓｔ)プロセス番号(ＨＡＲＱ  ｐｒｏｃｅｓｓ  ｎｕｍｂｅｒ)：ＨＡＲＱのプロセス番号を通知する。
【００４６】
（５）新しいデータインジケータ(Ｎｅｗ  ｄａｔａ  ｉｎｄｉｃａｔｏｒ)：ＨＡＲＱ初期送信であるか再送信であるかを通知する。
【００４７】
（６）重複バージョン(Ｒｅｄｕｎｄａｎｃｙ  ｖｅｒｓｉｏｎ)：ＨＡＲＱの重複バージョン(ｒｅｄｕｎｄａｎｃｙ  ｖｅｒｓｉｏｎ)を通知する。
【００４８】
（７）ＰＵＣＣＨのための送信電力制御命令(ＴＰＣ(Ｔｒａｎｓｍｉｔ  Ｐｏｗｅｒ  Ｃｏｎｔｒｏｌ)ｃｏｍｍａｎｄ  ｆｏｒ  ＰＵＣＣＨ：アップリンク制御チャンネルであるＰＵＣＣＨに対する送信電力制御命令を通知する。
【００４９】
前記ＤＣＩはチャンネルコーディング及び変造過程を経てダウンリンク物理制御チャンネルであるＰＤＣＣＨ又はＥＰＤＣＣＨを介して送信される。
【００５０】
ＤＣＩメッセージｐａｙｌｏａｄにはＣＲＣ(Ｃｙｃｌｉｃ  Ｒｅｄｕｎｄａｎｃｙ  Ｃｈｅｃｋ)に付加され、ＣＲＣは端末の身元に該当されるＲＮＴＩ(Ｒａｄｉｏ  Ｎｅｔｗｏｒｋ  Ｔｅｍｐｏｒａｒｙ  Ｉｄｅｎｔｉｆｉｅｒ)でスクランブリング(ｓｃｒａｍｂｌｉｎｇ)される。ＤＣＩメッセージの目的、例えば、端末−特定(ＵＥ−ｓｐｅｃｉｆｉｃ)のデータ送信、電力制御命令又はランダムアクセス応答などによって互いに異なるＲＮＴＩが用いられる。ＲＮＴＩが明示的に送信されずＣＲＣ計算過程に含まれて送信される。ＰＤＣＣＨ上に送信されるＤＣＩメッセージを受信すれば端末は割り当てられたＲＮＴＩを用いてＣＲＣを確認してＣＲＣ確認結果が当たると、当該メッセージはその端末に送信されたことであるを知る。
【００５１】
図２は、ＬＴＥのＤＣＩが送信されるダウンリンク物理チャンネルであるＰＤＣＣＨ２０１とＥＰＤＣＣＨ(Ｅｎｈａｎｃｅｄ  ＰＤＣＣＨ、２０２)を示した図面である。
【００５２】
図２によれば、ＰＤＣＣＨ２０１はデータ送信チャンネルであるＰＤＳＣＨ２０３と時間多重化され、全システム帯域幅にかけて送信される。ＰＤＣＣＨ２０１の領域はＯＦＤＭシンボル個数で表現され、これはＰＣＦＩＣＨ(Ｐｈｙｓｉｃａｌ  Ｃｏｎｔｒｏｌ  Ｆｏｒｍａｔ  Ｉｎｄｉｃａｔｏｒ  Ｃｈａｎｎｅｌ)を介して送信されるＣＦＩ(Ｃｏｎｔｒｏｌ  Ｆｏｒｍａｔ  Ｉｎｄｉｃａｔｏｒ)で端末に指示される。ＰＤＣＣＨ２０１をサブフレームのヘッドでＯＦＤＭシンボルに割り当てることによって、端末が最大限の速やかにダウンリンクスケジューリング割り当てをデコーディングすることができるようにする。これを介してＤＬ−ＳＣＨ(Ｄｏｗｎｌｉｎｋ  Ｓｈａｒｅｄ  Ｃｈａｎｎｅｌ)に対するデコーディング遅延を減少させることができる。全体的なダウンリンク送信遅延を減少させることができる長所がある。一つのＰＤＣＣＨは一つのＤＣＩメッセージを伝達し、ダウンリンクとアップリンクに多数の端末が同時にスケジューリングされることができるので、各セル内では多数個のＰＤＣＣＨの送信が同時に成る。ＰＤＣＣＨ２０１のデコーディングのためのレファレンス信号としてはＣＲＳ２０４が用いられる。ＣＲＳ２０４は全帯域にかけて毎サブフレームごとに送信されてセルＩＤ(Ｉｄｅｎｔｉｔｙ)によってスクランブリング及びリソースマッピングが変わる。ＣＲＳ２０４はすべての端末が共通で用いるレファレンス信号であるので端末−特定ビームフォーミングが使用されることができない。したがって、ＬＴＥのＰＤＣＣＨに対する多重アンテナ送信技法は開ループ送信ダイバーシティー で限定される。ＣＲＳのポート数はＰＢＣＨ(Ｐｈｙｓｉｃａｌ  Ｂｒｏａｄｃａｓｔ  Ｃｈａｎｎｅｌ)のデコーディングから暗黙的に端末に知られる。
【００５３】
ＰＤＣＣＨ２０１のリソース割り当てはＣＣＥ(Ｃｏｎｔｒｏｌ−Ｃｈａｎｎｅｌ  Ｅｌｅｍｅｎｔ)を基盤として、一つのＣＣＥは９個のＲＥＧ(Ｒｅｓｏｕｒｃｅ  Ｅｌｅｍｅｎｔ  Ｇｒｏｕｐ)、すなわち、総３６個のＲＥから構成されている。特定ＰＤＣＣＨ２０１のために必要なＣＣＥの個数は１、２、４、８個となることができ、これはＤＣＩメッセージｐａｙｌｏａｄのチャンネルコーディング率によって変わる。このように互いに異なるＣＣＥ個数はＰＤＣＣＨ２０１のリンク適応(ｌｉｎｋ  ａｄａｐｔａｔｉｏｎ)を具現するために用いられる。端末はＰＤＣＣＨ２０１に対する情報が知らない状態で信号を検出しなければならないが、ＬＴＥではブラインドデコーディングのためにＣＣＥの集合を示す探索空間(ｓｅａｒｃｈ  ｓｐａｃｅ)を定義した。探索空間は各ＣＣＥのａｇｇｒｅｇａｔｉｏｎ  ｌｅｖｅｌ(ＡＬ)に複数個の集合から構成されており、これは明示的にシグナリングされず端末身元による関数及びサブフレーム番号を介して暗黙的に定義される。各サブフレーム内で端末は設定された探索空間内のＣＣＥから造られることができる可能なすべてのリソース候補群(ｃａｎｄｉｄａｔｅ)に対してＰＤＣＣＨ２０１に対するデコーディングを行い、ＣＲＣ確認を介して当該端末に有効であると宣言された情報を処理する。
【００５４】
探索空間は端末−特定探索空間と共通(Ｃｏｍｍｏｎ)探索空間で分類される。一定グループの端末又はすべての端末がシステム情報に対する動的なスケジューリングやページングメッセージのようなセル共通の制御情報を受信するためにＰＤＣＣＨ２０１の共通探索空間を調査することができる。例えば、セルの事業者情報などを含むＳＩＢ(Ｓｙｓｔｅｍ  Ｉｎｆｏｒｍａｔｉｏｎ  Ｂｌｏｃｋ)−１の送信のためのＤＬ−ＳＣＨのスケジューリング割り当て情報はＰＤＣＣＨ２０１の共通探索空間を調査して受信することができる。
【００５５】
図２によれば、ＥＰＤＣＣＨ２０２はＰＤＳＣＨ２０３と周波数多重化されて送信される。基地局ではスケジューリングを介してＥＰＤＣＣＨ２０２とＰＤＳＣＨ２０３のリソースを適切に割り当てることができ、これにより既存のＬＴＥ端末のためのデータ送信との共存を効果的にサポートすることができる。しかし、ＥＰＤＣＣＨ２０２は時間軸で一つのサブフレーム全体に割り当てられて送信されるから送信遅延時間観点で損害があるという問題点が存在する。多数のＥＰＤＣＣＨ２０２は一つのＥＰＤＣＣＨ２０２ｓｅｔを構成するようになり、ＥＰＤＣＣＨ２０２ｓｅｔの割り当てはＰＲＢ(Ｐｈｙｓｉｃａｌ  Ｒｅｓｏｕｒｃｅ  Ｂｌｏｃｋ)ｐａｉｒ単位で成る。ＥＰＤＣＣＨ  ｓｅｔに対する位置情報は端末−特定的に設定され、これはＲＲＣ(Ｒｅｍｏｔｅ  Ｒａｄｉｏ  Ｃｏｎｔｒｏｌ)を介してシグナリングされる。各端末には最大２つのＥＰＤＣＣＨ２０２ｓｅｔが設定されることができ、一つのＥＰＤＣＣＨ２０２ｓｅｔは互いに異なる端末に同時に多重化されて設定されることができる。  
【００５６】
ＥＰＤＣＣＨ２０２のリソース割り当てはＥＣＣＥ(Ｅｎｈａｎｃｅｄ  ＣＣＥ)を基盤として、一つのＥＣＣＥは４個又は８個のＥＲＥＧ(Ｅｎｈａｎｃｅｄ  ＲＥＧ)から構成されることができ、ＥＣＣＥ当たりＥＲＥＧの個数はＣＰ長さとサブフレーム設定情報によって変わる。一つのＥＲＥＧは９個のＲＥから構成され、したがって、ＥＲＥＧはＰＲＢ  ｐａｉｒ当たり１６個が存在することができる。ＥＰＤＣＣＨ送信方式はＥＲＥＧのＲＥマッピング方式によってｌｏｃａｌｉｚｅｄ／ｄｉｓｔｒｉｂｕｔｅｄ送信で区分される。ＥＣＣＥのａｇｇｒｅｇａｔｉｏｎレベルは１、２、４、８、１６、３２となることができ、これはＣＰ長さ、サブフレーム設定、ＥＰＤＣＣＨフォーマット、送信方式によって決定される。
【００５７】
ＥＰＤＣＣＨ２０２はただ端末−特定探索空間だけをサポートする。したがって、システムメッセージを受信しようとする端末は必ず既存のＰＤＣＣＨ２０１上の共通探索空間を調査しなければならない。
【００５８】
ＥＰＤＣＣＨ２０２ではデコーディングのためのレファレンス信号又は復調基準信号でＤＭＲＳ(Ｄｅｍｏｄｕｌａｔｉｏｎ  Ｒｅｆｅｒｅｎｃｅ  Ｓｉｇｎａｌ、２０５)が用いられる。したがって、ＥＰＤＣＣＨ２０２に対するプリコーディングは基地局が設定することができ、端末−特定ビームフォーミングを用いることができる。ＤＭＲＳ２０５を介して端末はどんなプリコーディングが用いられたか知らなくてもＥＰＤＣＣＨ２０２に対するデコーディングを行うことができる。ＥＰＤＣＣＨ２０２ではＰＤＳＣＨ２０３のＤＭＲＳと同一なパターンを用いる。しかし、ＰＤＳＣＨ２０３とは異なるようにＥＰＤＣＣＨ２０２でのＤＭＲＳ２０５は最大４個のアンテナポートを用いた送信をサポートすることができる。ＤＭＲＳ２０５はＥＰＤＣＣＨが送信される当該ＰＲＢでだけ送信される。
【００５９】
ＤＭＲＳ２０５のポート設定情報はＥＰＤＣＣＨ２０２送信方式によって変わる。Ｌｏｃａｌｉｚｅｄ送信方式の場合、ＥＰＤＣＣＨ２０２がマッピングされるＥＣＣＥに該当するアンテナポートは端末のＩＤに基盤して選択される。互いに異なる端末が同一なＥＣＣＥを共有する場合、すなわち、多重ユーザＭＩＭＯ(Ｍｕｌｔｉｕｓｅｒ  ＭＩＭＯ)送信が用いられる場合、ＤＭＲＳアンテナポートが各端末に割り当てられることができる。若しくはＤＭＲＳ２０５を共有して送信することもできるが、この場合には上位階層シグナリングで設定されるＤＭＲＳ２０５スクランブリング(Ｓｃｒａｍｂｌｉｎｇ)シーケンス(Ｓｅｑｕｅｎｃｅ)で区分することができる。Ｄｉｓｔｒｉｂｕｔｅｄ送信方式の場合、ＤＭＲＳ２０５のアンテナポートは２個までサポートされ、プリコーダーサイクリング(Ｐｒｅｃｏｄｅｒ  Ｃｙｃｌｉｎｇ)方式のダイバーシティー技法がサポートされる。一つのＰＲＢ  ｐａｉｒ内で送信されるすべてのＲＥに対してＤＭＲＳ２０５が共有されることができる。
【００６０】
前記では従来ＬＴＥ及びＬＴＥ−Ａでのダウンリンク制御チャンネル送信方式とこれをデコーディングするためのＲＳに対して記述した。
【００６１】
以下、現在論議されている５Ｇ通信システムでのダウンリンク制御チャンネルに対してより具体的に説明する。
【００６２】
図３は、５Ｇで用いられることができるダウンリンク制御チャンネルを構成する時間及び周波数リソースの基本単位を示す図面である。図３によれば、制御チャンネルを構成する時間及び周波数リソースの基本単位(ＲＥＧ、ＮＲ(Ｎｅｗ  Ｒａｄｉｏ)−ＲＥＧなどの名前で命名されることができる。以下、ＮＲ−ＲＥＧ３０３と名付ける)は時間軸としては１ＯＦＤＭシンボル３０１から構成されており、周波数軸としては１２個のサブキャリア３０２、すなわち、１ ＲＢから構成されている。制御チャンネルの基本単位を構成するにあって時間軸基本単位を１ＯＦＤＭシンボル３０１と仮定することによって一つのサブフレーム内でデータチャンネルと制御チャンネルが時間多重化されることができる。データチャンネルより制御チャンネルを前方に位置させることでユーザのプロセッシング時間を減少させることができ、遅延時間要求事項を満足させるのに容易である。制御チャンネルの周波収縮基本単位を１ ＲＢ３０２で設定することによって制御チャンネルとデータチャンネルの間の周波数多重化をより効率的に行うことができる。
【００６３】
図３に示されているＮＲ−ＲＥＧ３０３を連接することによって多様な大きさの制御チャンネル領域を設定することができる。例えば、５Ｇでダウンリンク制御チャンネルが割り当てられる基本単位をＮＲ−ＣＣＥ３０４とする場合、１ＮＲ−ＣＣＥ３０４は多数のＮＲ−ＲＥＧ３０３から構成されることができる。ＮＲ−ＲＥＧ３０３は１２個のＲＥから構成されることができ、１ＮＲ−ＣＣＥ３０４が４個のＮＲ−ＲＥＧ３０３で構成されると、１ＮＲ−ＣＣＥ３０４は４８個のＲＥから構成されることができることを意味する。ダウンリンク制御領域が設定されると、当該領域は多数のＮＲ−ＣＣＥ３０４から構成されることができ、特定ダウンリンク制御チャンネルは制御領域内のａｇｇｒｅｇａｔｉｏｎ  ｌｅｖｅｌ(ＡＬ)によって１つ又は多数のＮＲ−ＣＣＥ３０４でマッピングされて送信されることができる。制御領域内のＮＲ−ＣＣＥ３０４は番号で区分され、この時の番号は論理的なマッピング方式によって付与されることができる。
【００６４】
図３に示されたダウンリンク制御チャンネルの基本単位、すなわち、ＮＲ−ＲＥＧ３０３にはＤＣＩがマッピングされるＲＥとこれをデコーディングするためのレファレンス信号であるＤＭＲＳ３０５がマッピングされる領域がいずれも含まれることができる。この時のＤＭＲＳ３０５はＲＳ割り当てによるオーバーヘッドなど考慮して効率的に送信されることができる。例えば、ダウンリンク制御チャンネルが多数のＯＦＤＭシンボルを用いて送信される場合、第１のＯＦＤＭシンボルにだけＤＭＲＳ３０５が送信されることができる。ＤＭＲＳ３０５はダウンリンク制御チャンネルを送信するために用いられるアンテナポート(Ｐｏｒｔ)数を考慮してマッピングされて送信されることができる。図３に示された図面では２つのアンテナポートが用いられる一例を示す。この時、アンテナポート＃０のために送信されるＤＭＲＳ３０６とアンテナポート＃１のために送信されるＤＭＲＳ３０７が存在することができる。互いに異なるアンテナポートに対するＤＭＲＳは多様な方式で多重化されることができる。図３では互いに異なるアンテナポートに該当するＤＭＲＳが互いに異なるＲＥでそれぞれ直交して送信される一例を示す。このようにＦＤＭされて送信されることができ、若しくはＣＤＭされて送信されることができる。この以外にも多様な形態のＤＭＲＳパターンが存在することができ、これはアンテナポート数と連関されることができる。以下、本開示を説明するのにあって２個のアンテナポートが用いられる場合を仮定する。２個以上のアンテナポート数に対しても本開示における同一な原則が適用されることができる。
【００６５】
図４は、５Ｇ無線通信システムでダウンリンク制御チャンネルが送信される制御領域(Ｃｏｎｔｒｏｌ  Ｒｅｓｏｕｒｃｅ  Ｓｅｔ)に対する一例を示した図面である。図４には周波数軸にシステム帯域幅４１０、時間軸で１スロット４２０であるリソース領域が示し、図４の一例では１スロットが７ＯＦＤＭシンボルで仮定したが１４シンボルの場合にも適用可能である。図４で全体システム帯域幅４１０は一つの帯域幅部分(Ｂａｎｄｗｉｄｔｈ  Ｐａｒｔ又はＢＷＰ)若しくは多数の帯域幅部分(例えば、図４では帯域幅部分＃１(４０２)、帯域幅部分＃２(４０３)、帯域幅部分＃３(４０４)、帯域幅部分＃４(４０５)の４個の帯域幅部分)から構成されることができる。この時、帯域幅部分＃５(４０６)のように一つ以上の帯域幅部分を含む帯域幅部分が構成されることも可能である。図４では２個の制御領域(制御領域＃１(４４０)、制御領域＃２(４５０))が設定されている一例を示す。制御領域(４４０、４５０)は周波数軸に全体システム帯域幅４１０内で特定サブバンドで設定されることができる。例えば、図４で制御領域＃１(４４０)は帯域幅部分＃１(４０２)と帯域幅部分＃２(４０３)にかけて設定されており、制御領域＃２(４５０)は帯域幅部分＃４(４０５)内に設定されている。時間軸では一つ又は多数個のＯＦＤＭシンボルで設定されることができ、これを制御領域長さ(Ｃｏｎｔｒｏｌ  Ｒｅｓｏｕｒｃｅ  Ｓｅｔ  Ｄｕｒａｔｉｏｎ、４６０、４７０)で定義することができる。図４の一例で制御領域＃１(４４０)は２シンボルの制御領域長さ＃１(４６０)で設定されており、制御領域＃２(４５０)は１シンボルの制御領域長さ＃２(４７０)で設定されている。
【００６６】
５Ｇでは基地局観点で一つのシステム内に多数の制御領域が設定されることができる。また、端末観点で一つの端末に多数の制御領域が設定されることができる。また、端末にはシステム内の設定された制御領域のうちの一部の制御領域が設定されることができる。したがって、端末はシステム内に存在する特定制御領域に対する存在可否が知らないことがある。具体的な例えて説明すると、図４でシステム内には制御領域＃１(４４０)と制御領域＃２(４５０)の２つの制御領域が設定されており、端末＃１には制御領域＃１(４４０)が設定されることができ、端末＃２には制御領域＃１(４４０)と制御領域＃２(４５０)が設定されることができる。この時、端末＃１は追加的なインジケータがいない場合、制御領域＃２(４５０)の存在可否が分からないことがある。
【００６７】
前述した５Ｇでの制御領域は共通(Ｃｏｍｍｏｎ)制御領域で設定されるか、端末グループ共通(ＵＥ−ｇｒｏｕｐ  ｃｏｍｍｏｎ)で設定されたり端末−特定的(ＵＥ−ｓｐｅｃｉｆｉｃ)で設定されることができる。制御領域は各端末に端末−特定シグナリング、端末グループ共通シグナリング、若しくはＲＲＣシグナリングなどを介して設定されることができる。端末に制御領域を設定するということは制御領域の位置、サブバンド、制御領域のリソース割り当て、制御領域長さなどの情報などの情報を提供することを意味する。例えば、下記の情報を含むことができる。
【００６８】
【表１】
2021509784.tif 000003
【００６９】
前記の設定情報外にもダウンリンク制御チャンネルを送信するのに必要な多様な情報が端末に設定されることができる。
【００７０】
図５は、５Ｇ無線通信システムでアップリンク制御チャンネル(ＰＵＣＣＨ)の構造を示した図面である。図５ではスロットを基盤で端末がＬｏｎｇ  ＰＵＣＣＨの送信区間(又は開始シンボルと終了シムボル位置又は開始シンボルと送信シンボル数)を判断してアップリンク制御チャンネルを送信する方法を説明するが、ミニスロット(又はスロットを構成するシンボルの数より少ないシンボルの数で構成されたスロット)に基づいて端末がＬｏｎｇ  ＰＵＣＣＨ送信区間を判断してアップリンク制御チャンネルを送信する場合にも適用されることができる。この時、送信遅延を最小化するために短い送信区間(例えば、１つ又は２つのシンボルから構成されたアップリンク制御チャンネル)を有するアップリンク制御チャンネルをＳｈｏｒｔ  ＰＵＣＣＨと言い、十分なセルカバレッジを得るために長い送信区間(例えば、４つ以上のシンボルから構成されたアップリンク制御チャンネル)を有するアップリンク制御チャンネルをＬｏｎｇ  ＰＵＣＣＨと言う。Ｓｈｏｒｔ  ＰＵＣＣＨはＰＵＣＣＨ  ｆｏｒｍａｔ ０、ＰＵＣＣＨ  ｆｏｒｍａｔ ２の２つのＰＵＣＣＨ  ｆｏｒｍａｔをサポートし、ｌｏｎｇ  ＰＵＣＣＨはＰＵＣＣＨ  ｆｏｒｍａｔ １、ＰＵＣＣＨ  ｆｏｒｍａｔ ３、ＰＵＣＣＨ  ｆｏｒｍａｔ ４の３つのＰＵＣＣＨ  ｆｏｒｍａｔをサポートする。
【００７１】
図５で前記Ｌｏｎｇ  ＰＵＣＣＨとＳｈｏｒｔ  ＰＵＣＣＨが周波数領域で多重化(ＦＤＭ、５００)又は時間領域で多重化(ＴＤＭ、５０１)される模様を示している。先ず、図５でｌｏｎｇ  ＰＵＣＣＨとｓｈｏｒｔ  ＰＵＣＣＨが多重化されるスロット構造を説明する。信号送信の基本単位をスロットで説明するが、サブフレーム又は送信時間区間(ＴＴＩ)など多くの名称で用いられることができる。図５の５３０及び５３１はスロットを構成するシンボルが主にアップリンクで用いられる、すなわち、アップリンク中心スロット(ＵＬ  ｃｅｎｔｒｉｃ  ｓｌｏｔ)を示している。前記アップリンク中心スロットではアップリンクで用いられるＯＦＤＭシンボルの個数が大部分の場合で、全体ＯＦＤＭシンボルがアップリンク送信で用いられる場合も可能であり、若しくはいくつかのＯＦＤＭシンボルがダウンリンク送信で用いられることも可能であり、ダウンリンクとアップリンクが一つのスロット中に同時に存在するようになる場合は２つの間に送信間隔(又はｇａｐ)が存在することができる。図５では一つのスロット中に第１のＯＦＤＭシンボルはダウンリンク送信、例えば、ダウンリンク制御チャンネル送信５０２で用いられ、第３のＯＦＤＭシンボルからスロットの最後のシンボルまでアップリンク送信に活用されている例示を図示化した。第２のＯＦＤＭシンボルは送信間隔に活用される。前記アップリンク送信ではアップリンクデータチャンネル送信とアップリンク制御チャンネル送信が可能である。
【００７２】
次に、ｌｏｎｇ  ＰＵＣＣＨ(５０３)に対して説明する。
【００７３】
長い送信期間の制御チャンネルはセルカバレッジを大きくするための目的で用いられるからＯＦＤＭ送信よりは単搬送波送信であるＤＦＴ−Ｓ−ＯＦＤＭ方式に送信されることができる。したがって、この時は連続された副搬送波だけを用いて送信されなければならなく、さらに、周波数ダイバーシティー効果を得ることができるようにするために５０８と５０９のように離れた位置で長い送信区間のアップリンク制御チャンネルを構成する。周波数側面から離れる距離５０５は端末がサポートするアップリンク帯域幅又は端末に設定されたアップリンク帯域幅と同一であるか小さくなければならなく、スロットの前部では５０８のようにＰＲＢ−１を活用して送信し、スロットの後部では５０９のようにＰＲＢ−２を活用して送信する。前記でＰＲＢは物理リソースブロックで周波数側で最小送信単位を意味し、１２個の副反送波などで定義することができる。したがって、ＰＲＢ−１とＰＲＢ−２の周波数側距離は端末の最大サポート帯域幅又は前記端末に設定されたアップリンク送信帯域幅と同一であるか小さくなければならなく、端末の最大サポート帯域幅はシステムがサポートする帯域幅５０６より同一又は小さいことがある。前記周波数リソースＰＲＢ−１とＰＲＢ−２は上位信号によって端末に設定されることができ、上位信号によって周波数リソースがビットフィールドにマッピングされ、どんな周波数リソースが用いられるかがダウンリンク制御チャンネルに含まれたビットフィールドによって端末に指示されることができる。また、５０８のスロット前部で送信される制御チャンネルと５０９のスロット後部で送信される制御チャンネルはそれぞれ５１０のアップリンク制御情報(ＵＣＩ)と端末基準信号５１１から構成され、２つの信号は時間的に区分されて他のＯＦＤＭシンボルで送信されることを仮定する。
【００７４】
Ｌｏｎｇ  ＰＵＣＣＨはサポート可能な制御情報ビットの数とＩＦＦＴ前端でＰｒｅ−ＤＦＴ  ＯＣＣサポートを通じる端末多重化をサポート可否によってＰＵＣＣＨ  ｆｏｒｍａｔ １、ＰＵＣＣＨ  ｆｏｒｍａｔ ３、ＰＵＣＣＨ  ｆｏｒｍａｔ ４のような送信フォーマットをサポートする。
【００７５】
先ず、ＰＵＣＣＨ  ｆｏｒｍａｔ１は２ビットまでの制御情報をサポートすることができるＤＦＴ−Ｓ−ＯＦＤＭ基盤のｌｏｎｇ  ＰＵＣＣＨフォーマットである。前記制御情報はＨＡＲＱ−ＡＣＫとＳＲ(Ｓｃｈｅｄｕｌｉｎｇ  Ｒｅｑｕｅｓｔ)の組み合せ又は各々で構成されることができる。ＰＵＣＣＨ  ｆｏｒｍａｔ１は復調基準信号であるＤＭＲＳを含むＯＦＤＭシンボルと制御情報(Ｕｐｌｉｎｋ  Ｃｏｎｔｒｏｌ  Ｉｎｆｏｒｍａｔｉｏｎ、ＵＣＩ)を含むＯＦＤＭシンボルが繰り返し的に構成されている。例えば、ＰＵＣＣＨ  ｆｏｒｍａｔ１の送信シンボル数が８シンボルの場合、８シンボルの第１開始シンボルから順にＤＭＲＳシンボル、ＵＣＩシンボル、ＤＭＲＳシンボル、ＵＣＩシンボル、ＤＭＲＳシンボル、ＵＣＩシンボル、ＤＭＲＳシンボル、ＵＣＩシンボルから構成されるようになる。ＤＭＲＳシンボルは一つのＯＦＤＭシンボル内から周波数軸で１ ＲＢの長さに該当するシーケンスに時間軸に直交符号(又は直交シーケンス、ｗ＿ｉ(ｍ))を用いて拡散させて、ＩＦＦＴ実行後に送信する構造となっている。ＵＣＩシンボルは１ビット制御情報はＢＰＳＫ、２ビット制御情報はＱＰＳＫ変調してｄ(０)を生成し、生成されたｄ(０)を周波数軸に１ ＲＢの長さに該当するシーケンスで掛けてスクランブリングし、スクランブリングされたシーケンスに時間軸に直交符号(又は直交シーケンス、ｗ＿ｉ(ｍ))を用いて拡散させてＩＦＦＴ(ｉｎｖｅｒｓｅ  ｆａｓｔ  Ｆｏｕｒｉｅｒ  ｔｒａｎｓｆｏｒｍ)実行後に送信する構造となっている。端末は基地局から上位信号で設定されたグループホッピング又はシーケンスホッピング設定及び設定されたＩＤ基盤でシーケンスを生成し、指示された初期ＣＳ(ｃｙｃｌｉｃ  ｓｈｉｆｔ)値で前記生成されたシーケンスをｃｙｃｌｉｃ  ｓｈｉｆｔして１ ＲＢの長さに該当されるシーケンスを生成する。
【００７６】
次に、ＰＵＣＣＨ  ｆｏｒｍａｔ３は２ビットが超える制御情報をサポートすることができるＤＦＴ−Ｓ−ＯＦＤＭ基盤のｌｏｎｇ  ＰＵＣＣＨフォーマットである。前記制御情報はＨＡＲＱ−ＡＣＫ、ＣＳＩ(Ｃｈａｎｎｅｌ  Ｓｔａｔｅ  Ｉｎｆｏｒｍａｔｉｏｎ)、ＳＲの組み合せ又は各々で構成されることができる。ＰＵＣＣＨ  ｆｏｒｍａｔ３でＤＭＲＳシンボル位置は周波数ホッピング可否と追加のＤＭＲＳシンボル設定可否によって次のような表２で提示される。
【００７７】
【表２】
2021509784.tif 000004
【００７８】
例えば、ＰＵＣＣＨ  ｆｏｒｍａｔ ３の送信シンボル数が８シンボルの場合、８シンボルの第１開始シンボルを０から開始し、第１のシンボルと第５のシンボルにＤＭＲＳが送信される。前記表はＰＵＣＣＨ  ｆｏｒｍａｔ４のＤＭＲＳシンボル位置にも同じ方式で適用される。
【００７９】
次に、ＰＵＣＣＨ  ｆｏｒｍａｔ ４は２ビットが超える制御情報をサポートすることができるＤＦＴ−Ｓ−ＯＦＤＭ基盤のｌｏｎｇ  ＰＵＣＣＨフォーマットである。前記制御情報はＨＡＲＱ−ＡＣＫ、ＣＳＩ、ＳＲの組み合せ又は各々で構成されることができる。ＰＵＣＣＨ  ｆｏｒｍａｔ ４がＰＵＣＣＨ  ｆｏｒｍａｔ ３と異なる点はＰＵＣＣＨ  ｆｏｒｍａｔ ４の場合一つのＲＢ内で多くの端末のＰＵＣＣＨ  ｆｏｒｍａｔ ４を多重化することができるということである。ＩＦＦＴ前端で制御情報にＰｒｅ−ＤＦＴ  ＯＣＣ適用を介して複数端末のＰＵＣＣＨ  ｆｏｒｍａｔ ４を多重化することが可能である。ただ、一つの端末の送信可能な制御情報シンボル数は多重化される端末の数によって減少する。
【００８０】
次に、ｓｈｏｒｔ  ＰＵＣＣＨ(５１８)に対して説明する。
【００８１】
Ｓｈｏｒｔ  ＰＵＣＣＨはダウンリンク中心スロットとアップリンク中心スロットのすべてで送信されることができ、一般的にスロットの最後のシンボル、又は後部にあるＯＦＤＭシンボル(例えば、最後のＯＦＤＭシンボル又は最後から２番目ＯＦＤＭシンボル、又は最後の２ＯＦＤＭシンボル)で送信される。もちろんスロット内に任意の位置でＳｈｏｒｔ  ＰＵＣＣＨが送信されることも可能である。そして、Ｓｈｏｒｔ  ＰＵＣＣＨは一つのＯＦＤＭシンボル、又は２個のＯＦＤＭシンボルを用いて送信されることができる。図５でＳｈｏｒｔ  ＰＵＣＣＨはスロットの最後のシンボル５１８で送信される場合を図示化した。Ｓｈｏｒｔ  ＰＵＣＣＨのための無線リソースは周波数側でＰＲＢ単位に割り当てられるのに、割り当てられるＰＲＢは１個のＰＲＢ又は連続された複数個のＰＲＢが割り当てられることもでき、周波数帯域から離れている複数個のＰＲＢが割り当てられることもできる。そして、割り当てられるＰＲＢは端末がサポートする周波数帯域５０７又は端末が基地局から設定されたアップリンク送信帯域幅よりは同一又は小さい帯域のうちに含まれていなければならない。前記割り当てられる周波数リソースである複数個のＰＲＢは上位信号によって端末に設定されることができ、上位信号によって周波数リソースがビットフィールドにマッピングされ、どんな周波数リソースが用いられるかがダウンリンク制御チャンネルに含まれたビットフィールドによって端末に指示されることができる。そして、一つのＰＲＢ内でアップリンク制御情報５２０と復調基準信号５２１は周波数帯域で多重化されなければならないが、５１２のように毎２つのサブキャリアごとに一つの副反送波に復調基準信号を送信する方法が存在することができ、前記ＤＭＲＳマッピング方式は規格に定義されて端末が前記マッピング方式に従ってｓｈｏｒｔ  ＰＵＣＣＨを送信して基地局は前記マッピング方式に従ってｓｈｏｒｔ  ＰＵＣＣＨを復調する。５１２の場合は一例であり、５１３、５１４のように異なる間隔で復調基準信号が送信されることもできる。
【００８２】
Ｓｈｏｒｔ  ＰＵＣＣＨはサポート可能な制御情報ビットの数によってＰＵＣＣＨ  ｆｏｒｍａｔ ０、ＰＵＣＣＨ  ｆｏｒｍａｔ ２のような送信フォーマットをサポートする。先ず、ＰＵＣＣＨ  ｆｏｒｍａｔ ０は２ビットまでの制御情報をサポートすることができるＣＰ−ＯＦＤＭ基盤のｓｈｏｒｔ  ＰＵＣＣＨフォーマットである。前記制御情報はＨＡＲＱ−ＡＣＫとＳＲの組み合せ又は各々で構成されることができる。ＰＵＣＣＨ  ｆｏｒｍａｔ ０はＤＭＲＳを送信せず、一つのＯＦＤＭシンボル内から周波数軸で１２個のサブキャリアにマッピングされるシーケンスのみを送信する構造となっている。端末は基地局から上位信号で設定されたグループホッピング又はシーケンスホッピング設定及び設定されたＩＤ基盤でシーケンスを生成し、指示された初期ＣＳ(ｃｙｃｌｉｃ  ｓｈｉｆｔ)値にＡＣＫであるかＮＡＣＫであるかかによって他のＣＳ値を足した最終ＣＳ値で前記生成されたシーケンスをｃｙｃｌｉｃ  ｓｈｉｆｔして１２個のサブキャリアにマッピングして送信する。例えば、ＨＡＲＱ−ＡＣＫが１ビットの場合、次の表３のようにＡＣＫであれば初期ＣＳ値に６を足して最終ＣＳを生成し、ＮＡＣＫであれば初期ＣＳに０を足して最終ＣＳを生成する。前記のＮＡＣＫのためのＣＳ値である０とＡＣＫのためのＣＳ値である６は規格に定義され、端末は常に前記値によってＰＵＣＣＨ  ｆｏｒｍａｔ０を生成して１ビットＨＡＲＱ−ＡＣＫを送信する。
【００８３】
【表３】
2021509784.tif 000005
【００８４】
例えば、ＨＡＲＱ−ＡＣＫが２ビットの場合、次の表４のように(ＮＡＣＫ、ＮＡＣＫ)であれば初期ＣＳ値に０を足し、(ＮＡＣＫ、ＡＣＫ)であれば初期ＣＳ値に３を足し、(ＡＣＫ、ＡＣＫ)であれば初期ＣＳ値に６を足し、(ＡＣＫ、ＮＡＣＫ)であれば初期ＣＳ値に９を足す。前記の(ＮＡＣＫ、ＮＡＣＫ)のためのＣＳ値である０と(ＮＡＣＫ、ＡＣＫ)のためのＣＳ値である３、(ＡＣＫ、ＡＣＫ)のためのＣＳ値である６、(ＡＣＫ、ＮＡＣＫ)のためのＣＳ値である９は規格に定義され、端末は常に前記値によってＰＵＣＣＨ  ｆｏｒｍａｔ０を生成して２ビットＨＡＲＱ−ＡＣＫを送信する。
【００８５】
前記で初期ＣＳ値にＡＣＫ又はＮＡＣＫによって足したＣＳ値によって最終ＣＳ値が１２を超える場合、シーケンスの長さが１２であるのでｍｏｄｕｌｏ １２を適用することは自明である。
【００８６】
【表４】
2021509784.tif 000006
【００８７】
次に、ＰＵＣＣＨ  ｆｏｒｍａｔ ２は２ビットが超える制御情報をサポートすることができるＣＰ−ＯＦＤＭ基盤のｓｈｏｒｔ  ＰＵＣＣＨフォーマットである。前記制御情報はＨＡＲＱ−ＡＣＫ、ＣＳＩ、ＳＲの組み合せ又は各々で構成されることができる。ＰＵＣＣＨ  ｆｏｒｍａｔ２は一つのＯＦＤＭシンボル内でＤＭＲＳが送信されるサブキャリアの位置が図５１２のように第１のサブキャリアのインデックスを＃０とする時、＃１、＃４、＃７、＃１０のインデックスを有するサブキャリアに固定される。制御情報はチャンネル符号化後の変調過程を経てＤＭＲＳが位置したサブキャリアを除いた残りサブキャリアにマッピングされる。
【００８８】
端末はＰＵＣＣＨ  ｒｅｓｏｕｒｃｅ  ｓｅｔを上位信号で設定される端末は前記設定されたＰＵＣＣＨ  ｒｅｓｏｕｒｃｅ  ｓｅｔを制御情報ビット数によって選択する。特定スロットで端末は送信しなければならない制御情報ビット数が１で２である時、ＰＵＣＣＨ  ｒｅｓｏｕｒｃｅ  ｓｅｔ０を選択し、送信しなければならない制御情報ビット数が３でＮ２−１である時、ＰＵＣＣＨ  ｒｅｓｏｕｒｃｅ  ｓｅｔ１を選択し、送信しなければならない制御情報ビット数がＮ２でＮ３−１である時、ＰＵＣＣＨ  ｒｅｓｏｕｒｃｅ  ｓｅｔ２を選択し、送信しなければならない制御情報ビット数がＮ３でＮ４−１である時、ＰＵＣＣＨ  ｒｅｓｏｕｒｃｅ  ｓｅｔ３を選択する。前記Ｎ２、Ｎ３、Ｎ４はいずれも上位信号で端末が事前に基地局から受信することができる。
【００８９】
それぞれのＰＵＣＣＨ  ｒｅｓｏｕｒｃｅ  ｓｅｔはＸ個のＰＵＣＣＨ  ｒｅｓｏｕｒｃｅを含んでＸ個のＰＵＣＣＨ  ｒｅｓｏｕｒｃｅにはｓｈｏｒｔ  ＰＵＣＣＨ(ＰＵＣＣＨ  ｆｏｒｍａｔ０、ＰＵＣＣＨ  ｆｏｒｍａｔ２)のためのｒｅｓｏｕｒｃｅ又はｌｏｎｇ  ＰＵＣＣＨ(ＰＵＣＣＨ  ｆｏｒｍａｔ１、ＰＵＣＣＨ  ｆｏｒｍａｔ３、ＰＵＣＣＨ  ｆｏｒｍａｔ４)のためのｒｅｓｏｕｒｃｅを含む。Ｘ個のｒｅｓｏｕｒｃｅのうちのいずれかのｒｅｓｏｕｒｃｅを端末が選択して前記選択されたｒｅｓｏｕｒｃｅに対応するＰＵＣＣＨ  ｆｏｒｍａｔを送信するかはダウンリンク制御チャンネルのビットを介して指示することもでき、ダウンリンク制御チャンネルの送信リソースやスロットインデックス、端末の固有識別子(ＩＤ)などを介して誘導されることもできる。又は前記ダウンリンク制御チャンネルによって指示とダウンリンク制御チャンネルの送信リソースやスロットインデックス、端末の固有識別子等を介して誘導する方法が混合して端末に指示することができる。端末は前記指示方案を受信するか誘導してＸ個のＰＵＣＣＨ  ｒｅｓｏｕｒｃｅから一つのＰＵＣＣＨ  ｒｅｓｏｕｒｃｅを選択し、該当するＰＵＣＣＨ  ｆｏｒｍａｔを介して制御情報を送信する。
【００９０】
前記のＰＵＣＣＨ  ｒｅｓｏｕｒｃｅ指示方案はＨＡＲＱ−ＡＣＫ送信のように端末がＨＡＲＱ−ＡＣＫ送信以前に対応するダウンリンク制御チャンネル受信を介してＰＵＣＣＨ  ｒｅｓｏｕｒｃｅを決定することが可能な場合に限って適用されることができ、ＣＳＩ又はＳＲ送信のように端末がＣＳＩ又はＳＲ以前に対応するダウンリンク制御チャンネル受信がない場合、端末がＣＳＩあるいはＳＲ送信時に使用しなければならないＰＵＣＣＨ  ｆｏｒｍａｔ及び必要なＰＵＣＣＨ  ｒｅｓｏｕｒｃｅは上位信号を介して事前に基地局から受信し、基地局から上位信号によって設定された週期及びオフセットによってＣＳＩ又はＳＲ送信のためのスロットで端末は前記設定されたＰＵＣＣＨ  ｒｅｓｏｕｒｃｅで前記設定されたＰＵＣＣＨ  ｆｏｒｍａｔを用いてＣＳＩ又はＳＲを送信する。
【００９１】
前記ＰＵＣＣＨ  ｆｏｒｍａｔに対応するＰＵＣＣＨ  ｒｅｓｏｕｒｃｅは次の情報を少なくとも一つ含む。
【００９２】
(１)ＰＵＣＣＨ送信開始シンボル、ＰＵＣＣＨ送信シンボル数
【００９３】
(２)開始ＰＲＢを指示するインデックス、送信ＰＲＢ個数、周波数ホッピング設定可否、周波数ホッピングが指示された時、第２ホップの周波数リソース
【００９４】
(３)初期ＣＳ値、時間軸ＯＣＣ(Ｏｒｔｈｏｇｏｎａｌ  Ｃｏｖｅｒ  Ｃｏｄｅ)のインデックス、Ｐｒｅ−ＤＦＴ  ＯＣＣの長さ、Ｐｒｅ−ＤＦＴ  ＯＣＣのインデックス
【００９５】
それぞれのＰＵＣＣＨ  ｆｏｒｍａｔによって必要な情報と値の範囲は次のように表５で整理することができる。次の表５で値が設定される必要がないか、１であるので値の範囲が必要ない場合、Ｎ．Ａ．で表記する。
【００９６】
【表５】
2021509784.tif 000007
【００９７】
本開示で以後にｓｈｏｒｔ  ＰＵＣＣＨとする場合、特に明示しない限りＰＵＣＣＨ  ｆｏｒｍａｔ０又はＰＵＣＣＨ  ｆｏｒｍａｔ ２を指称し、ｌｏｎｇ  ＰＵＣＣＨとする場合、特に明示しない限りＰＵＣＣＨ  ｆｏｒｍａｔ １又はＰＵＣＣＨ  ｆｏｒｍａｔ ３又はＰＵＣＣＨ  ｆｏｒｍａｔ ４を指称する。また、本開示でＰＵＣＣＨ  ｆｏｒｍａｔ Ｘで送信するということは特に明示しない限り、基地局から指示されたり誘導されるなどの本開示の方法を介して得られたＰＵＣＣＨ  ｆｏｒｍａｔ  ＸのためのＰＵＣＣＨ  ｒｅｓｏｕｒｃｅを用いて送信するということを意味する。
【００９８】
一つの端末がスロット又はミニスロットでｌｏｎｇ  ＰＵＣＣＨを用いてアップリンク制御情報を送信するかｓｈｏｒｔ  ＰＵＣＣＨを用いてアップリンク制御情報を送信するかは基地局からの上位階層信号を受信して上位階層信号に含まれたｌｏｎｇ  ＰＵＣＣＨ又はｓｈｏｒｔ  ＰＵＣＣＨ使用情報から決定することができる。あるいは、一つの端末がスロット又はミニスロットでｌｏｎｇ  ＰＵＣＣＨを用いてアップリンク制御情報を送信するかｓｈｏｒｔ  ＰＵＣＣＨを用いてアップリンク制御情報を送信するかは基地局からの物理信号を受信して物理信号に含まれたｌｏｎｇ  ＰＵＣＣＨ又はｓｈｏｒｔ  ＰＵＣＣＨ使用情報から決定することができる。若しくは、一端末がスロット又はミニスロットでｌｏｎｇ  ＰＵＣＣＨを用いてアップリンク制御情報を送信するかｓｈｏｒｔ  ＰＵＣＣＨを用いてアップリンク制御情報を送信するかはスロットやミニスロットのアップリンクシンボルの個数から暗黙的に決定することができる。例えば、アップリンク制御情報を送信するように基地局から指示されたり設定されたスロットやミニスロットのアップリンクシンボル個数が１又は２の場合、ｓｈｏｒｔ  ＰＵＣＣＨを用いてアップリンク制御情報を送信し、前記スロットやミニスロットのアップリンクシンボル個数が４から１４の場合、ｌｏｎｇ  ＰＵＣＣＨを用いてアップリンク制御情報を送信することができる。
【００９９】
若しくは、一つの端末がスロット又はミニスロットでｌｏｎｇ  ＰＵＣＣＨを用いてアップリンク制御情報を送信するかｓｈｏｒｔ  ＰＵＣＣＨを用いてアップリンク制御情報を送信するかは前記端末がランダムアクセスを行う過程でｍｓｇ２に含まれたｍｓｇ３のｗａｖｅｆｏｒｍを指示する情報と連係して決定されることができる。すなわち、ｍｓｇ２に含まれたｍｓｇ３のｗａｖｅｆｏｒｍを指示する情報がＣＰ−ＯＦＤＭの場合、端末はＣＰ−ＯＦＤＭの  ｗａｖｅｆｏｒｍを用いるｓｈｏｒｔ  ＰＵＣＣＨを介してアップリンク制御情報を送信する。若し、ｍｓｇ２に含まれたｍｓｇ３のｗａｖｅｆｏｒｍを指示する情報がＤＦＴ−Ｓ−ＯＦＤＭの場合、端末はＤＦＴ−Ｓ−ＯＦＤＭのｗａｖｅｆｏｒｍを用いるｌｏｎｇ  ＰＵＣＣＨを介してアップリンク制御情報を送信する。
【０１００】
次に、上述したｌｏｎｇ  ＰＵＣＣＨとｓｈｏｒｔ  ＰＵＣＣＨが多重化されることを説明する。一つスロット５３０内で互いに異なる端末のｌｏｎｇ  ＰＵＣＣＨとｓｈｏｒｔ  ＰＵＣＣＨが周波数領域で多重化されることができる(５００)。この時、基地局は互いに異なる端末のｓｈｏｒｔ  ＰＵＣＣＨとｌｏｎｇ  ＰＵＣＣＨ周波数リソースを図５のＰＲＢのように重ならないように設定することができる。しかし、スケジューリング可否にかかわらずすべての端末のアップリンク制御チャンネルの送信リソースを互いに異なるように設定することは周波数浪費であり、限定された周波数リソースはアップリンク制御チャンネル送信よりはアップリンクデータチャンネル送信のために使用しなければならないことを考慮した時、適切ではない。したがって、互いに異なる端末のｓｈｏｒｔ  ＰＵＣＣＨとｌｏｎｇＰＵＣＣＨの周波数リソースは重なることができ、基地局はスケジューリング及び互いに異なる端末の送信リソースが一つのスロットで衝突しないように操作しなければならない。
【０１０１】
しかし、特定スロットで互いに異なる端末のｓｈｏｒｔ  ＰＵＣＣＨ送信リソースとｌｏｎｇ  ＰＵＣＣＨ送信リソースが衝突することを避けることができない場合基地局はｌｏｎｇ  ＰＵＣＣＨ送信リソースがｓｈｏｒｔ  ＰＵＣＣＨの送信リソースと衝突しないようにする方案が必要であり、端末はｌｏｎｇ  ＰＵＣＣＨ送信リソースを基地局の指示に従って調節することを要する。前記方案によってｓｈｏｒｔ  ＰＵＣＣＨとｌｏｎｇ  ＰＵＣＣＨの送信リソースは一つのスロット５３１内で時間領域で多重化されることができる(５０１)。
【０１０２】
前述したように端末がダウンリンク及びアップリンク帯域幅を一つ以上の帯域幅部分でそれぞれ区分して設定された場合、端末が帯域幅部分を考慮してアップリンク制御チャンネルリソースが設定される方法及び、アップリンク制御チャンネルリソース選択方法、そして帯域幅部分変更方法などに対する設定方法が必要である。
【０１０３】
＜実施例１＞
図６は、一実施例によって５Ｇ帯域幅部分設定とアップリンク制御チャンネルリソース設定を示した図面である。図６には周波数軸にアップリンクシステム帯域幅６１０、時間軸で１スロット６２０の場合が図示され、図６の一実施例では１スロットが７ＯＦＤＭシンボルで仮定したが１４シンボルで構成される場合にも適用可能である。図６でアップリンクシステム帯域幅６１０は多数のアップリンク帯域幅部分(例えば、図６では帯域幅部分＃１(６０２)、帯域幅部分＃２(６０３)、帯域幅部分＃３(６０４)、帯域幅部分＃４(６０５)の４個の帯域幅部分)から構成されることができる。この時、帯域幅部分＃５(６０６)のように一つ以上の帯域幅部分を含む帯域幅部分から構成されることも可能である。また、端末は特定時間(シンボル又はスロット又はサブフレーム、又はフレーム)で一つ又は複数の帯域幅部分だけ活性化して用いることができる。この時、帯域幅部分に対する活性化及び非活性化は上位信号、ダウンリンク制御チャンネルを介して送信されるＤＣＩ情報、ＭＡＣ  ＣＥ、帯域幅部分活性化及び非活性化タイマーのうちの少なくとも一つの方法を介して行われることができる。
【０１０４】
この時、アップリンク制御チャンネル送信リソースは前記帯域幅部分にいずれも設定されるか、一つ又は一部の帯域幅部分にだけアップリンク制御チャンネル送信リソースが設定されることができる。前記で説明したアップリンク制御チャンネル送信リソースは各端末に端末−特定シグナリング、端末グループ共通シグナリング、若しくはＲＲＣシグナリングなどを介して設定されることができる。端末にアップリンク制御チャンネル送信リソースを設定するということは制御チャンネル送信領域の位置、サブバンド、制御チャンネルのリソース割り当て、制御チャンネルの長さなどの情報などの情報を提供することを意味する。例えば、少なくとも下記の情報を含むことができる。
【０１０５】
【表６】
2021509784.tif 000008
【０１０６】
図６(ａ)のように一つ以上の帯域幅部分で設定された端末は設定された帯域幅部分のうちの一つの帯域幅部分で一つ以上のアップリンク制御チャンネル送信リソース６４０が設定されることができる。この時、端末は図６(ｂ)のように設定されたすべての帯域幅部分でそれぞれ一つ以上のアップリンク制御チャンネル送信リソース(６５０、６６０、６７０、６８０)が設定されることができる。この時、端末は前記設定された帯域幅部分のうちで一部の帯域幅部分だけでアップリンク制御チャンネル送信リソースが設定される場合も可能である。この時、アップリンク制御チャンネル送信リソース設定は帯域幅部分ごとに独立的であれば良い。この時、基地局は前記アップリンク制御チャンネル送信リソース設定時の帯域幅部分を考慮せず端末がサポート可能な最大アップリンク周波数帯域幅を基準でアップリンク制御チャンネル送信リソースを設定することができる。例えば、基地局は端末の最大アップリンク周波数帯域幅６１０を基準でアップリンク制御チャンネル送信リソース(６５０、６８０)を設定することができる。前記の場合、端末は基地局から設定されたアップリンク制御チャンネル送信リソースとアップリンク帯域幅部分を考慮して帯域幅部分＃１(６０２)及び帯域幅部分＃４(６０５)にはＬｏｎｇ  ＰＵＣＣＨアップリンク制御チャンネル６５０及びＳｈｏｒｔ  ＰＵＣＣＨアップリンク制御チャンネル６８０が設定されており、帯域幅部分＃２(６０３)及び帯域幅部分＃３(６０４)には別途のアップリンク制御チャンネルが設定されないことで判断することも可能である。
【０１０７】
また、各帯域幅部分にアップリンク制御チャンネルが設定されないか、一つのアップリンク制御チャンネルが設定されている場合を仮定して説明したが、帯域幅部分に一つ以上のアップリンク制御チャンネルが設定される場合も可能である。この時、前記表２のようなアップリンク制御チャンネルに関する設定情報のうちの少なくとも一つ以上の情報は基地局と端末間に事前に定義されたり、端末が基地局から上位信号を介して設定されたり、システム情報(例えば、ＳＩ−ＲＮＴＩに送信される信号)から設定されることができる。前記上位信号は基地局が端末にアップリンク帯域幅部分設定するために送信する上位信号に前記設定情報を含んで送信することができる。若し、端末がサポートすることができる最大アップリンク帯域幅又は一つ以上の帯域幅部分で複数のアップリンク制御チャンネル送信リソースが設定された場合、基地局は前記複数の制御チャンネル送信リソース(又はアップリンク制御チャンネル構成インデックス又はアップリンク制御チャンネルフォーマット)のうちのいずれか一つを選択し、前記選択された制御チャンネル送信リソース情報をダウンリンク制御チャンネルを介して端末に送信することができる。言い換えれば、端末はダウンリンク制御チャンネルを介して送信されるＤＣＩを受信して前記ＤＣＩによってダウンリンクデータチャンネルを受信し、前記ダウンリンクデータチャンネルを介して受信されたダウンリンクデータに対する受信結果を前記ＤＣＩで指示する制御チャンネル送信リソースを用いて基地局へ報告又は送信することができる。
【０１０８】
若し、端末がアップリンク制御チャンネルを介してアップリンク信号送信が必要な場合で、現在活性化されている帯域幅部分(例えば、帯域幅部分＃２(６０３)に設定されたアップリンク制御チャンネルリソースがない場合、端末は非活性化されている帯域幅部分のうちの少なくとも一つの帯域幅部分(帯域幅部分＃１(６０２))を活性化して前記アップリンク制御チャンネルを送信することができる。この時、もし端末が一つのアップリンク帯域幅部分だけ活性化できる場合、現在活性化されているが帯域幅部分に設定されたアップリンク制御チャンネルリソースがない帯域幅部分(帯域幅部分＃２(６０３))は非活性化され、前記端末がアップリンク制御チャンネルを送信するために活性化した帯域幅部分(帯域幅部分＃１(６０２))だけ活性化されたことで判断することができる。この時、前記端末はアップリンク制御チャンネルを送信後、さらに帯域幅部分＃２(６０３)を活性化し、帯域幅部分＃１(６０２)を非活性化することができる。若し、前記アップリンク制御チャンネル送信のために帯域幅部分＃１(６０２)を活性化一シンボル又はスロットで帯域幅部分＃２(６０３)又は他の帯域幅部分(例えば、帯域幅部分＃３(６０４))でアップリンク信号(例えば、ＳＲＳ)送信が設定されている場合、アップリンク制御チャンネル送信のために活性化された帯域幅部分＃１(６０２)を除いた他の帯域幅部分でのアップリンク信号送信はいずれも行わないこともある。この時、若し、端末が帯域幅部分＃１(６０２)でアップリンク制御チャンネルを送信する時間と帯域幅部分＃３(６０４)で設定されたアップリンク信号送信間時間が(例えば、シンボル)重ねないか、帯域幅部分＃１(６０２)でアップリンク制御チャンネルを送信後帯域幅部分＃３(６０４)に変更して設定されたアップリンク信号を送信することができる場合、言い換えれば、帯域幅部分＃１(６０２)でアップリンク制御チャンネルを送信後にＸ時間以後の時間(シンボル又はスロット)で帯域幅部分＃３(６０４)のアップリンク信号送信を行う場合、端末は帯域幅部分＃１(６０２)でアップリンク制御チャンネル送信後、帯域幅部分＃３(６０４)を活性化して前記帯域幅部分＃３(６０４)で設定されたアップリンク信号を送信することができる。
【０１０９】
若し、端末がアップリンク制御チャンネルを介してアップリンク信号送信が必要な場合で、現在活性化されている帯域幅部分に設定されたアップリンク制御チャンネルリソースがないが非活性化されている帯域幅部分のうちの複数の帯域幅部分でアップリンク制御チャンネルリソースが設定されている場合、又は複数の帯域幅部分が活性化されているか常時活性化された帯域幅部分全体又は複数の帯域幅部分にアップリンク制御チャンネルリソースが設定されている場合に対して説明する。端末は事前に定義されたり設定された帯域幅部分に設定されたアップリンク制御チャンネルリソースを介してアップリンク制御チャンネルを送信したり、アップリンク制御チャンネルリソースが設定されている活性化帯域幅部分のうちで帯域幅部分インデックスが最も低いインデックスを有する帯域幅部分に設定されたアップリンク制御チャンネルリソースを介してアップリンク制御チャンネルを送信したり、アップリンク制御チャンネルリソースが設定されている活性化帯域幅部分のうちで前記ダウンリンクデータチャンネルを受信したダウンリンク帯域幅部分と連係されているアップリンク帯域幅部分に設定されたアップリンク制御チャンネルリソースを介してアップリンク制御チャンネルを送信したり、アップリンク制御チャンネル外他のアップリンク信号送信が設定されているアップリンク帯域幅部分に設定されたアップリンク制御チャンネル又はアップリンクデータチャンネルを介してアップリンク制御チャンネルを送信したり、最も最近に活性化されたアップリンク帯域幅部分に設定されたアップリンク制御チャンネルを介してアップリンク制御チャンネルを送信したり、若し、前記アップリンク制御チャンネル送信にスケジューリングリクエスト(ｓｃｈｅｄｕｌｉｎｇ  ｒｅｑｕｅｓｔ)情報が含まれる場合、前記端末がスケジューリングリクエストを実行しようとするＳＲに対するリソースが設定されているアップリンク帯域幅部分に設定されたアップリンク制御チャンネルを介して送信することができる。
【０１１０】
＜実施例２＞
以下、現在論議されている５Ｇ通信システムにおける帯域幅調節を行う方法に対して具体的に説明する。
【０１１１】
図７は、送受信帯域幅調節する動作を説明した図面である。前記帯域幅調節を介して端末の消耗電力を効率的に管理することができる。図７で横軸は時間領域を、縦軸は周波数領域を示す。図７のダウンリンク帯域幅調節動作を例えて説明すれば、端末はスロット＃１(７０６)区間で基地局から‘帯域幅Ａ’７０１に該当するダウンリンク制御チャンネルとダウンリンクデータチャンネルを受信することを示す。前記帯域幅Ａは、予め定められた所定の基準帯域幅であるか、端末の初期接続時に決定される帯域幅でるか、若しくは端末−基地局の間の設定を介して決定される帯域幅又は帯域幅部分であれば良い。
【０１１２】
スロット＃２(７０７)で基地局が端末に‘帯域幅調節コマンド７０２’を介して端末の帯域幅を‘帯域幅Ｂ７０５’に変更することを指示すると、端末は前記命令を獲得した後に帯域幅変更動作を行う。‘帯域幅Ａ’と‘帯域幅Ｂ’は互いに異なる大きさを有しても良く、‘帯域幅Ａ’が‘帯域幅Ｂ’より大きいか又は小さいことがある。図７の例で前記‘帯域幅Ｂ’は前記‘帯域幅Ａ’より大きいことを仮定する。そして、前記‘帯域幅Ａ’と‘帯域幅Ｂ’はそれぞれＰＲＢ単位又は帯域幅部分(Ｂａｎｄｗｉｄｔｈ  Ｐａｒｔ)単位で表現することができる。端末は前記帯域幅調節コマンドを成功的に受信してデコーディングを介して獲得するまで所定の時間が必要で、帯域幅変更時の端末ＲＦモジュールの設定を変更するのに所定の時間が必要である。図７の例では、前記端末が‘帯域幅調節コマンド’を受信して帯域幅変更を完了するまで最大‘帯域幅変更時間Ｘ’７０３が必要なことを例示する。図７の例示では、前記‘帯域幅調節コマンド７０２’がダウンリンク制御チャンネル７１７に含まれて端末に送信されることを示す。そして、参照番号７０３時間区間の間、前記端末のダウンリンク信号受信又はアップリンク信号送信が発生しない場合を示す。
【０１１３】
端末は前記‘帯域幅変更時間Ｘ’以内で‘帯域幅Ｂ’に帯域幅変更を完了し、スロット＃３(７０８)区間からは‘帯域幅Ｂ’で動作する。したがって、基地局はスロット＃３(７０８)区間から端末に‘帯域幅Ｂ’に該当する信号を送信することができる。図７の例で基地局は端末にスロット＃３(７０８)とスロット＃４(７０９)で‘帯域幅Ｂ’に該当するダウンリンク制御チャンネルとダウンリンクデータチャンネルを送信することを示す。
【０１１４】
前記‘帯域幅調節コマンド７０２’は最小１ビット乃至最大Ｎビット(Ｎ  ＞１)で表現することができる。
【０１１５】
第１の‘帯域幅調節コマンド’構成方法(１ビット)で、端末が調節可能な帯域幅が‘帯域幅Ａ’と‘帯域幅Ｂ’の２つである場合、１ビットとして端末が適用する帯域幅を表現することができる。例えば、１ビット情報が‘０’であれば、‘帯域幅Ａ’を意味し、１ビット情報が‘１’であれば‘帯域幅Ｂ’を意味する。
【０１１６】
第２の‘帯域幅調節コマンド’構成方法(Ｎビット)で、Ｎビットで端末の調節可能な帯域幅２Ｎ個をそれぞれ表現することができる。例えば、２ビットの場合、‘００’であれば、‘帯域幅Ａ’、‘０１’であれば、‘帯域幅Ｂ’、‘１０’であれば、‘帯域幅Ｃ’、‘１１’であれば‘帯域幅Ｄ’を意味する。
【０１１７】
基地局は前記‘帯域幅調節コマンド(７０２)’を物理階層シグナリング、ＭＡＣ階層シグナリング、ＲＲＣシグナリングのうちの少なくとも一つの方法を介して端末に送信することができる。この中で物理階層シグナリング方法は端末の速やかなプロセッシングの可能な特徴がある。基地局は前記‘帯域幅調節コマンド’をそれぞれの端末に個別的にシグナリングするか(ＵＥ−ｓｐｅｃｉｆｉｃ)、若しくはセル内の複数の端末に対して共通シグナリング(ＵＥ−ｇｒｏｕｐ  ｃｏｍｍｏｎ  ｏｒ  ｃｏｍｍｏｎ  ｓｉｇｎａｌｉｎｇ)することができる。
【０１１８】
この時、ＴＤＤシステムのように同一な周波数帯域でダウンリンク及びアップリンク信号を送受信する場合、又はダウンリンク帯域幅部分とアップリンク周波数帯域幅部分が互いに連係又は連結されて共に動作する場合(例えば、ダウンリンク帯域幅Ａから帯域幅Ｂに変更又は活性化時のアップリンク帯域幅Ａから帯域幅Ｂに変更又は活性化される場合)、前記図７のアップリンク帯域幅がダウンリンク帯域幅変更によって変更されることができる。言い換えれば、端末が基地局から帯域幅調節コマンド７０２を介してダウンリンク帯域幅Ａ(７０１)からダウンリンク帯域幅Ｂ(７０５)に調節又は変更する場合、端末のアップリンクも帯域幅Ａ(７５１)からアップリンク帯域幅Ｂ(７５５)に調節又は変更されることができる。
【０１１９】
若し、前記端末に設定された各アップリンク帯域幅にアップリンク制御チャンネル送信リソースが設定されている場合、言い換えれば、帯域幅Ａ(７５１)及び帯域幅Ｂ(７５５)にアップリンク制御チャンネル送信リソース７６０及び７７０が設定されている場合で、若し、スロット＃１(７０６)で基地局からダウンリンク制御チャンネル７１９を介して送信されたダウンリンク制御情報(ＤＣＩ)を受信した端末は、前記ＤＣＩで指示するダウンリンクデータチャンネル７２０を介してダウンリンクデータを受信し、前記ダウンリンクデータに対する受信結果(ＨＡＲＱ−ＡＣＫ)を前記ＤＣＩで指示する時間(例えば、スロット＃３(７０８))で前記ＤＣＩで指示するアップリンク制御チャンネルリソースを介して基地局へ報告することができる。この時、若し、端末が前記ＤＣＩが指示するアップリンク制御チャンネルリソースが前記ＤＣＩを受信する時点の帯域幅、言い換えれば、図７の場合、前記ＤＣＩを受信する時点(スロット＃１(７０６))で活性化されているアップリンク帯域幅Ａ(７５１)のアップリンク制御チャンネルリソース７６０であることで判断したが、基地局は前記アップリンク制御チャンネルを介して端末が基地局で前記ダウンリンクデータ７２０に対する受信結果を送信する時間(スロット＃３(７０８))での帯域幅は帯域幅Ｂ(７５５)であるので、端末がアップリンク帯域幅Ｂ(７５５)のアップリンク制御チャンネルリソース７７０を介して前記受信結果を送信することで期待する場合、基地局は端末が報告する前記ダウンリンクデータ７２０に対する受信結果を正しく受信することができる。したがって、ダウンリンク及びアップリンク帯域幅を変更するように設定された端末と基地局でダウンリンク帯域幅変更によってアップリンク帯域幅が変わる場合、アップリンク帯域幅変更時点又はアップリンク制御チャンネル送信リソースを正しく判断する方法が必要である。
【０１２０】
第１方法は、アップリンク制御チャンネル送信開始時点又はアップリンク制御チャンネル送信開始時点からＫ時間以前に活性化されているアップリンク帯域幅を基準でアップリンク制御チャンネル送信リソース判断する過程を含む。
【０１２１】
第２の方法は、帯域幅調節コマンド受信によって変更されたダウンリンク帯域幅を介して受信したダウンリンクデータに対する受信決定を送信する時間(シンボル又はスロット)でアップリンク帯域幅変更する過程を含む。
【０１２２】
第１の方法をより詳しく説明すれば、次の通りである。図７のＴＤＤシステムのように同一な周波数帯域(又はダウンリンク及びアップリンク周波数帯域の中心周波数が同一な場合でダウンリンク及びアップリンク信号を送受信する場合、又はダウンリンク帯域幅部分とアップリンク周波数帯域幅部分が互いに連携又は連係されて共に動作する場合(例えば、ダウンリンク帯域幅Ａから帯域幅Ｂに変更又は活性化時のアップリンク帯域幅もＡから帯域幅Ｂに変更又は活性化される場合)、前記図７のアップリンク帯域幅がダウンリンク帯域幅変更によって変更されることができる。言い換えれば、端末が基地局から帯域幅調節コマンド７０２を介してダウンリンク帯域幅Ａ(７０１)でダウンリンク帯域幅Ｂ(７０５)で調節又は変更する場合、端末のアップリンクも帯域幅Ａ(７５１)でアップリンク帯域幅Ｂ(７５５)で調節又は変更されることができ、アップリンク帯域幅の変更時点(シンボル又はスロット)がダウンリンク帯域幅の変更時点と同一なことがある。この時、アップリンク帯域幅の変更時点(シンボル又はスロット)がダウンリンク帯域幅の変更時点からＸ時間以後であれば良く、この時、Ｘはシンボル長さ又はスロット長さと同一又は小さい値であれば良く、前記Ｘ時間は端末のＣａｐａｂｉｌｉｔｙによって定められるか、基地局と端末間に事前に定義されることができる。また、前記Ｘ時間は端末が基地局から上位信号を介して設定されるか、システム情報(例えば、ＳＩ−ＲＮＴＩに送信される信号)から設定されることができる。前記上位信号は基地局が端末にアップリンク帯域幅部分設定するために送信する上位信号に前記Ｘ値を含んで送信することができる。
【０１２３】
若し、図７のように前記端末に設定されたアップリンク帯域幅それぞれにアップリンク制御チャンネル送信リソースが設定されている場合、言い換えれば帯域幅Ａ(７５１)及び帯域幅Ｂ(７５５)にアップリンク制御チャンネル送信リソース７６０及び７７０が設定されている場合で、もしスロット＃１(７０６)で基地局からダウンリンク制御チャンネル７１９を介して送信されたダウンリンク制御情報(ＤＣＩ)を受信した端末は、前記ＤＣＩで指示するダウンリンクデータチャンネル７２０を介してダウンリンクデータを受信し、前記ダウンリンクデータに対する受信結果(ＨＡＲＱ−ＡＣＫ)を前記ＤＣＩで指示する時間(例えば、スロット＃３(７０８))で前記ＤＣＩで指示するアップリンク制御チャンネルリソースを介して基地局へ報告することができる。第１方法を介して端末は前記ＤＣＩ７１９が指示する前記ダウンリンクデータ７２０に対する受信結果を送信する時間(スロット＃３(７０８))で活性化されている帯域幅、言い換えれば、帯域幅Ｂ(７５５)のアップリンク制御チャンネル７７０を介して前記受信結果を送信することで判断することによって、基地局は前記端末が報告する前記ダウンリンクデータ７２０に対する受信結果を正しく受信できる。
【０１２４】
この時、端末はアップリンク帯域幅Ａと帯域幅Ｂに独立的にアップリンク制御チャンネルリソースが設定されることができる。図９は、一実施例による端末の図面である。例えば、図のようにアップリンク帯域幅９００を帯域幅Ａ(９０２)と帯域幅Ｂ(９０３)で設定された端末は、前記帯域幅Ａ(９０２)と帯域幅Ｂ(９０３)それぞれにアップリンク制御チャンネルリソースを設定されることができる。例えば、帯域幅Ａ(９０２)にはアップリンク制御チャンネル＃１(９１０)及びアップリンク制御チャンネル＃２(９２０)を設定され、帯域幅Ｂ(９０３)にはアップリンク制御チャンネル＃１(９３０)及びアップリンク制御チャンネル＃２(９４０)が設定されることができる。この時、各アップリンク制御チャンネルのフォーマット又は長さ、周波数リソース位置などの設定値をいずれも独立的に設定されることができ、帯域幅Ａ(９０２)と帯域幅Ｂ(９０３)それぞれに設定されたアップリンク制御チャンネルリソース、フォーマット、長さになどそれぞれの設定値もいずれも独立的であれば良い。
【０１２５】
したがって、第１方法によれば、端末が前記ＤＣＩ(７１９)が指示する前記ダウンリンクデータ７２０に対する受信結果を送信する時間(スロット＃３(７０８))で活性化されている帯域幅、言い換えれば、帯域幅Ｂ(７５５)のアップリンク制御チャンネル７７０を介して前記受信結果を送信することで判断する場合、前記ＤＣＩ(７１９)が指示するアップリンク制御チャンネル送信時間及びリソース(又はアップリンク制御チャンネル構成インデックス又はアップリンク制御チャンネルフォーマット)は前記ＤＣＩ(７１９)を受信する時点(スロット＃１(７０６))で活性化されている帯域幅ではない、前記ＤＣＩ(７１９)が指示する前記ダウンリンクデータ７２０に対する受信結果を送信する時間(スロット＃３(７０８))で活性化されている帯域幅のアップリンク制御チャンネル送信時間及びリソース(又はアップリンク制御チャンネル構成インデックス又はアップリンク制御チャンネルフォーマット)であることで判断することができる。
【０１２６】
言い換えれば、端末は前記ＤＣＩ(７１９)が指示するアップリンク制御チャンネル送信時間及びリソース(又はアップリンク制御チャンネル構成インデックス又はアップリンク制御チャンネルフォーマット、例えば、ＰＵＣＣＨ＃１)は前記ＤＣＩ(７１９)が指示する前記ダウンリンクデータ７２０に対する受信結果を送信する時間(スロット＃３(７０８))で活性化されている帯域幅のアップリンク制御チャンネル送信時間及びリソース(又はアップリンク制御チャンネル構成インデックス又はアップリンク制御チャンネルフォーマット)、言い換えれば、ＰＵＣＣＨ＃１(９３０)であることで判断し、前記ＰＵＣＣＨ＃１(９３０)を用いて前記ダウンリンクデータ７２０に対する受信結果を送信する。
【０１２７】
若し、帯域幅部分によって設定されたアップリンク制御チャンネル送信リソース(又はアップリンク制御チャンネル構成インデックス又はアップリンク制御チャンネルフォーマット)が異なるように設定されて前記例示のように１対１でマッピングされない場合、例えば、帯域幅部分Ａでは３個のアップリンク制御チャンネルリソースが設定されており、帯域幅部分Ｂでは２個のアップリンク制御チャンネルリソースが設定されている場合、端末はアップリンク制御チャンネル送信時間及びリソース(又はアップリンク制御チャンネル構成インデックス又はアップリンク制御チャンネルフォーマット、例えば、ＰＵＣＣＨ＃１)をｍｏｄｕｌｏ演算を介して判断することも可能である。例えば、帯域幅部分Ａでは３個のアップリンク制御チャンネルリソースが設定されており、帯域幅部分Ｂでは２個のアップリンク制御チャンネルリソースが設定されている場合で、帯域幅部分Ａが活性化されている端末の場合、若し、前記ＤＣＩ(７１９)が指示する前記ダウンリンクデータ７２０に対する受信結果を送信する時間(スロット＃３(７０８))で活性化されている帯域幅が帯域幅部分Ｂの場合、前記端末がアップリンク制御チャンネル送信に用いるアップリンク制御チャンネル送信時間及びリソース(又はアップリンク制御チャンネル構成インデックス又はアップリンク制御チャンネルフォーマット)は前記ＤＣＩ(７１９)が指示するアップリンク制御チャンネルリソース(又はアップリンク制御チャンネル構成インデックス又はアップリンク制御チャンネルフォーマット)を前記変更された帯域幅部分Ｂに設定されたアップリンク制御チャンネルリソース(又はアップリンク制御チャンネル構成インデックス又はアップリンク制御チャンネルフォーマット)の数とのｍｏｄｕｌｏ演算をして得た値で判断することができる。前記を例えて説明すれば、帯域幅部分Ａでは３個のアップリンク制御チャンネルリソース(ＰＵＣＣＨ＃１、ＰＵＣＣＨ＃２、ＰＵＣＣＨ＃３)が設定されており、帯域幅部分Ｂでは２個のアップリンク制御チャンネルリソース(ＰＵＣＣＨ＃１、ＰＵＣＣＨ＃２)が設定されている場合で、もし前記ＤＣＩ(７１９)がアップリンク制御チャンネルリソース＃３(ＰＵＣＣＨ＃３)を介してアップリンク制御チャンネル送信を指示した場合、端末は前記指示された制御チャンネルリソースと変更された帯域幅部分Ｂに設定された制御チャンネルリソース(又はアップリンク制御チャンネル構成インデックス又はアップリンク制御チャンネルフォーマット)の数でｍｏｄｕｌｏ演算を取った結果(例えば、ＰＵＣＣＨ＃３  ｍｏｄ  ２＝ＰＵＣＣＨ＃１)、すなわち、帯域幅部分Ｂに設定されたＰＵＣＣＨ＃１を用いて前記アップリンク制御チャンネルを送信することができる。
【０１２８】
第２方法を詳しく説明すれば次の通りである。図８は、一実施例によるシステムの図面である。図８のＴＤＤシステムのように同一な周波数帯域(又はダウンリンク及びアップリンク周波数帯域の中心周波数が同一な場合)でダウンリンク及びアップリンク信号を送受信する場合、又はダウンリンク帯域幅部分とアップリンク周波数帯域幅部分が互いに連係又は連結されて共に動作する場合(例えば、ダウンリンク帯域幅Ａから帯域幅Ｂに変更又は活性化時のアップリンク帯域幅もＡから帯域幅Ｂに変更又は活性化される場合)、前記図８のアップリンク帯域幅がダウンリンク帯域幅変更によって変更されることができる。
【０１２９】
言い換えれば、端末が基地局から帯域幅調節コマンド８０２を介してダウンリンク帯域幅Ａ(８０１)からダウンリンク帯域幅Ｂ(８０５)に調節又は変更する場合、端末のアップリンクも帯域幅Ａ(８５１)からアップリンク帯域幅Ｂ(８５５)に調節又は変更されることができ、アップリンク帯域幅の変更時点(シンボル又はスロット)は方法１のようにダウンリンク帯域幅の変更時点と同一であると仮定することができる。若し、図７を用いて述した前記第１方法のようにアップリンク帯域幅の変更時点がダウンリンク帯域幅の変更時点と同一であると仮定する場合、端末は前記ＤＣＩ(７１９)を受信する時点(スロット＃１(７０６))で活性化されている帯域幅ではない、前記ＤＣＩ(７１９)が指示する前記ダウンリンクデータ７２０に対する受信結果を送信する時間(スロット＃３(７０８))で活性化されている帯域幅のアップリンク制御チャンネル送信時間及びリソース(又はアップリンク制御チャンネル構成インデックス又はアップリンク制御チャンネルフォーマット)であることで判断しなければならないので、アップリンク制御チャンネル送信リソースの判断時点からアップリンク制御チャンネル送信実行時間の間に端末のプロセッシング時間が充分に確保され難いことがある。
【０１３０】
したがって、第２方法では帯域幅調節コマンド受信によって変更されたダウンリンク帯域幅を介して受信したダウンリンクデータに対する受信結果を送信する時間(シンボル又はスロット)でアップリンク帯域幅を変更するようにすることによって、端末は前記ＤＣＩ(７１９)を受信する時点(スロット＃１(７０６))で活性化されている帯域幅を基準で前記端末が送信しなければならないアップリンク制御チャンネルを判断する。
【０１３１】
言い換えれば、若し、図８のように前記端末に設定されたアップリンク帯域幅のそれぞれにアップリンク制御チャンネル送信リソースが設定されている場合、言い換えれば、図８のように帯域幅Ａ(８５１)及び帯域幅Ｂ(８５５)にアップリンク制御チャンネル送信リソース８６０及び８８０が設定されている場合で、若し、スロット＃１(８０６)で基地局からダウンリンク制御チャンネル８１９を介して送信されたダウンリンク制御情報(ＤＣＩ)を受信した端末は、前記ＤＣＩで指示するダウンリンクデータチャンネル８２０を介してダウンリンクデータを受信し、前記ダウンリンクデータに対する受信結果(ＨＡＲＱ−ＡＣＫ)を前記ＤＣＩを受信した時間(例えば、スロット＃１(８０６))で活性化されているアップリンク帯域幅Ａ(８５１)のアップリンク制御チャンネルリソース(又はアップリンク制御チャンネル構成インデックス又はアップリンク制御チャンネルフォーマット)のうちの前記ＤＣＩ(８１９)で指示したアップリンク制御チャンネルリソースを介して前記受信結果を基地局へ報告することができる。
【０１３２】
前記第２方法をまた他の方式で説明すれば、端末が基地局から帯域幅調節コマンド８０２を介してダウンリンク帯域幅Ａ(８０１)からダウンリンク帯域幅Ｂ(８０５)に調節又は変更する場合、端末のアップリンクも帯域幅Ａ(８５１)からアップリンク帯域幅Ｂ(８５５)に調節又は変更されることができ、アップリンク帯域幅の変更時点(シンボル又はスロット)がダウンリンク帯域幅の変更時点からＫ時間(シンボル又はスロット)以後であることで判断することができる。この時、Ｋはシンボル長さ又はスロック長さと同一又は大きい値であれば良く、前記Ｋは端末のＣａｐａｂｉｌｉｔｙによって定められるか、基地局と端末間に事前に定義されることができる。さらに、前記Ｋは端末が基地局から上位信号を介して設定されるか、システム情報(例えば、ＳＩ−ＲＮＴＩで送信される信号)から設定されることができる。前記上位信号は基地局が端末にアップリンク帯域幅部分設定するために送信する上位信号に前記Ｋ値を含んで送信することができる。この時、前記Ｋ値が帯域幅調節コマンドを送信する信号に含まれて端末に送信されることも可能である。
【０１３３】
また他の方式としては、端末が基地局から帯域幅調節コマンド８０２を介してダウンリンク帯域幅Ａ(８０１)からダウンリンク帯域幅Ｂ(８０５)に調節又は変更する場合、端末のアップリンク帯域幅も帯域幅Ａ(８５１)からアップリンク帯域幅Ｂ(８５５)に調節又は変更されることができ、アップリンク帯域幅の変更時点(シンボル又はスロット)は変更されたダウンリンク帯域幅Ｂ(８０５)を介して送信されるダウンリンクデータに対する受信結果をアップリンク制御チャンネルを介して基地局へ報告又は送信する時間直前又は前記時間からＸ時間以前の時間でアップリンク帯域幅が帯域幅Ｂ(８５５)に変更されたことで判断することができる。この時、アップリンク帯域幅Ｂ(８５５)への変更以前に送信するアップリンク制御チャンネルはアップリンク帯域幅Ａ(８５１)を基準と判断されたアップリンク制御チャンネルである。
【０１３４】
また他の方式では、端末が基地局から帯域幅調節コマンド８０２を介してダウンリンク帯域幅Ａ(８０１)からダウンリンク帯域幅Ｂ(８０５)に調節又は変更する場合、端末のアップリンク帯域幅も帯域幅Ａ(８５１)からアップリンク帯域幅Ｂ(８５５)に調節又は変更されることができ、アップリンク帯域幅の変更時点(シンボル又はスロット)は変更されたダウンリンク帯域幅Ｂ(８０５)を介して送信されるダウンリンクデータに対する受信結果をアップリンク制御チャンネルを介して基地局へ最初に報告又は送信する時間直前又は前記時間からＸ時間以前の時間でアップリンク帯域幅が帯域幅Ｂ(８５５)に変更されたことで判断することができる。この時、Ｘはシンボル長さ又はスロット長さと同一又は小さい値であれば良く、前記Ｘ時間は端末のＣａｐａｂｉｌｉｔｙによって定められるか、基地局と端末間に事前に定義されることができる。さらに、前記Ｘ時間は端末が基地局から上位信号を介して設定されるか、システム情報(例えば、ＳＩ−ＲＮＴＩに送信される信号)から設定されることができる。前記上位信号は基地局が端末にアップリンク帯域幅部分設定するために送信する上位信号に前記Ｘ値を含んで送信することができる。この時、アップリンク帯域幅Ｂ(８５５)への変更以前に送信するアップリンク制御チャンネルはアップリンク帯域幅Ａ(８５１)を基準で判断されたアップリンク制御チャンネルである。
【０１３５】
端末は前記第２方法を介して判断されたアップリンク帯域幅変更時点を基準で、前記帯域幅変更時点を含んで以後の時間で送信されるように設定又は指示されたアップリンク制御チャンネルは前記変更された帯域幅Ｂ(８５５)を基準で判断されたアップリンク制御チャンネルリソース(又はアップリンク制御チャンネル構成インデックス又はアップリンク制御チャンネルフォーマット)８８０であることで判断し、アップリンク帯域幅Ｂ(８５５)への変更以前に送信するアップリンク制御チャンネルはアップリンク帯域幅Ａ(８５１)を基準で判断されたアップリンク制御チャンネル８６０で判断することができる。
【０１３６】
＜実施例３＞
端末は基地局でアップリンク制御情報(例えば、スケジューリングリクエスト情報(Ｓｃｈｅｄｕｌｉｎｇ  Ｒｅｑｕｅｓｔ、ＳＲ)、ダウンリンクデータチャンネル受信結果(ＨＡＲＱ−ＡＣＫ)、チャンネル状態報告(Ｃｈａｎｎｅｌ  Ｓｔａｔｅ  Ｉｎｆｏｒｍａｔｉｏｎ、ＣＳＩ)などを送信するアップリンク制御チャンネルに対する設定情報(例えば、アップリンク制御チャンネルのフォーマット、送信開始シンボル、送信開始シンボルを含む送信シンボルの個数、送信開始ＲＢ、送信開始ＲＢを含む送信ＲＢの個数、シーケンス、シーケンスに適用する初期ｃｙｃｌｉｃ  ｓｈｉｆｔ値、周波数ホッピングＯＮ／ＯＦＦ情報、周波数ホッピングがＯＮされる場合、第２ホップの時間／周波数リソース割り当て情報、直交シーケンス情報などのうちの一つ以上の情報)を上位信号、システム情報(ＭＩＢ、ＳＩＢ)、ダウンリンク制御情報(又はＤＣＩ)を受信し、そのうちの少なくとも一つ又はその組み合せを介して判断し、アップリンク制御情報をアップリンク制御チャンネルを介して送信時に用いることができるアップリンク制御チャンネルフォーマット及び前記フォーマットに対する送信設定情報を決定することができる。
【０１３７】
図１４は、一実施例によってアップリンク帯域幅部分でアップリンク制御チャンネル送信を示す図面である。図１４は、端末に設定されたアップリンクシステム帯域幅１４００のうち、スロットｎで実施例１乃至実施例２を介して設定及び判断されたアップリンク帯域幅部分１４０２でのアップリンク制御チャンネル送信に関する例示である。端末は基地局へスケジューリングリクエスト情報を送信するためのアップリンク制御チャンネルに関する設定情報を事前に基地局からの上位信号を介して受信することができる。この時、端末はアップリンク送信しようとするデータ又は論理チャンネル(ｌｏｇｉｃａｌ  ｃｈａｎｎｅｌ)又は論理チャンネルグループ(Ｌｏｇｉｃａｌ  Ｃｈａｎｎｅｌ  Ｇｒｏｕｐ)に対するスケジューリングリクエスト情報を区分するために、複数個のアップリンク制御チャンネルが設定されることができる。例えば、図１４でＰＵＣＣＨ＃１(１４１０)は第１論理チャンネルに対するスケジューリングリクエスト情報を送信するために設定されたアップリンク制御チャンネルであり、ＰＵＣＣＨ＃２(１４２０)は第２論理チャンネルに対するスケジューリングリクエスト情報を送信するために設定されたアップリンク制御チャンネルである。
【０１３８】
若し、端末が第１論理チャンネルに対するアップリンクデータ送信が必要な場合、前記端末は基地局へＰＵＣＣＨ＃１(１４１０)を介してスケジューリングリクエスト情報を送信することによって、基地局は前記端末が送信しようとする論理チャンネル(第１論理チャンネル)に適合したアップリンクデータチャンネル送信リソースを設定又は割り当てることができる。さらに、端末は基地局からスロットｎ又はその以前スロットで受信したダウンリンクデータチャンネルに対する受信結果を基地局へ報告するためのアップリンク制御チャンネルであるＰＵＣＣＨ＃３(１４３０)が設定されることができる。この時、前記アップリンク制御情報を送信するアップリンク制御チャンネルに対する設定情報はそれぞれ独立的に設定されることができる。言い換えれば、前記の例でＰＵＣＣＨ＃１(１４１０)、ＰＵＣＣＨ＃２(１４２０)、ＰＵＣＣＨ＃３(１４３０)に対するアップリンク制御チャンネル送信フォーマットは独立的に設定されることができる。したがって、前記ＰＵＣＣＨ＃１(１４１０)、ＰＵＣＣＨ＃２(１４２０)、ＰＵＣＣＨ＃３(１４３０)に対するアップリンク制御チャンネル送信フォーマットがいずれも異なるように設定されることも可能である。ＰＵＣＣＨ＃１(１４１０)、ＰＵＣＣＨ＃２(１４２０)、ＰＵＣＣＨ＃３(１４３０)に対するアップリンク制御チャンネルの送信長さに又は送信区間の長さは独立的に設定されることができる。したがって、前記ＰＵＣＣＨ＃１(１４１０)、ＰＵＣＣＨ＃２(１４２０)、ＰＵＣＣＨ＃３(１４３０)に対するアップリンク制御チャンネルの送信長さに又は送信区間の長さがいずれも異なるように設定されることも可能である。
【０１３９】
端末は基地局からスロットｎ又はその以前スロットで受信したダウンリンクデータチャンネルに対する受信結果をスロットｎで基地局へ報告するためのアップリンク制御チャンネルに関する設定を上位信号を介して複数個設定されることができる。この時、前記のダウンリンクデータチャンネルをスケジューリングするダウンリンク制御情報には前記端末に設定された複数個のアップリンク制御チャンネル設定情報のうちのどんなアップリンク制御チャンネル設定を用いて前記ダウンリンクデータチャンネルに対する受信結果を報告しなければならないかを指示するインジケータが含まれることができ、端末は前記インジケータで指示するアップリンク制御チャンネル１４３０設定によって前記受信結果を報告することができる。
【０１４０】
したがって、端末が基地局からスロットｎ又はその以前スロットで受信したダウンリンクデータチャンネルに対する受信結果をスロットｎで基地局へ報告する場合で前記端末がスロットｎでスケジューリングリクエスト情報も送信しようとする場合、言い換えれば、スロットｎで互いに異なる複数個のアップリンク制御情報を送信する場合、又は互いに異なる複数個のアップリンク制御情報を同時に送信する場合、端末は２つのアップリンク制御チャンネルをそれぞれ送信して前記アップリンク制御情報を送信するか、前記２つのアップリンク制御チャンネルのうちの一つの制御チャンネルのみを用いて一つ又は複数個のアップリンク制御情報を送信することができる。一般的に、端末の信号送信に用いることができる可用電力は制限的であるから、前記２つのアップリンク制御チャンネルのうちの一つの制御チャンネルのみを用いてアップリンク制御情報を送信することが好ましい。例えば、端末は前記ダウンリンクデータチャンネルに対する受信結果をスケジューリングリクエスト情報を送信するアップリンク制御チャンネルであるＰＵＣＣＨ＃１(１４１０)を用いて送信することができる。
【０１４１】
この時、基地局はスロットｎで端末が前記ダウンリンクデータチャンネルに対する受信結果をアップリンク制御チャンネルＰＵＣＣＨ＃３(１４３０)を介して送信することを知っているから、若し、基地局が端末にスケジューリングリクエスト情報を送信するように設定されたアップリンク制御チャンネルＰＵＣＣＨ＃１(１４１０)で前記ダウンリンクデータチャンネルに対する受信結果を受信する場合、基地局はダウンリンクデータチャンネルに対する受信結果及びアップリンク制御チャンネルＰＵＣＣＨ＃１(１４１０)に対応される論理チャンネルに対するスケジューリングリクエスト情報を送信したことで判断することができる。若し、端末がアップリンク制御チャンネルＰＵＣＣＨ＃２(１４２０)に対応される論理チャンネルに対するスケジューリングリクエスト情報を前記スロットｎで送信する場合、端末はアップリンク制御チャンネルＰＵＣＣＨ＃２(１４２０)を介して前記ダウンリンクデータチャンネルに対する受信結果を送信することができる。この時、端末にスケジューリングリクエスト情報を送信するように設定されたアップリンク制御チャンネルＰＵＣＣＨ＃２(１４２０)で前記ダウンリンクデータチャンネルに対する受信結果を受信した基地局は、前記ダウンリンクデータチャンネルに対する受信結果及びアップリンク制御チャンネルＰＵＣＣＨ＃２(１４２０)に対応される論理チャンネルに対するスケジューリングリクエスト情報を送信したことで判断することができる。
【０１４２】
この時、前記の例のようにそれぞれのアップリンク制御情報に対応されるそれぞれのアップリンク制御チャンネルフォーマットが異なるか、アップリンク制御チャンネルのフォーマットは同じであるがアップリンク制御チャンネルの長さ(又はアップリンク制御チャンネル構成する時間軸シンボルの数)が異なるか、又はアップリンク制御チャンネルのフォーマットは同じであるが送信シーケンス、直交シーケンス、ｃｙｃｌｉｃ  ｓｈｉｆｔ値のうちの少なくとも一つの値が異なることができる。説明の便宜のために本実施例３ではアップリンク制御情報に対応されるアップリンク制御チャンネルの長さが異なる場合に対して説明するが、前記のようアップリンク制御チャンネルフォーマット、アップリンク制御チャンネルシーケンス、アップリンク制御チャンネルの直交シーケンスを含むアップリンク制御チャンネルを構成する多様な要素中の一つ以上の構成要素が異なる場合にも本開示で提案する方法を適用することができるだろう。
【０１４３】
ＰＵＣＣＨ＃１(１４１０)はスロットｎで第１論理チャンネルに対するスケジューリングリクエスト情報を送信するアップリンク制御チャンネルであり、ＰＵＣＣＨ＃２(１４２０)はスロットｎで第２論理チャンネルに対するスケジューリングリクエスト情報を送信するアップリンク制御チャンネルであり、ＰＵＣＣＨ＃３(１４３０)はスロットｎでダウンリンクデータチャンネルに対する受信結果を報告するアップリンク制御チャンネルであり、前記ＰＵＣＣＨ＃３(１４３０)は前記ダウンリンクデータチャンネルをスケジューリングするダウンリンク制御信号情報を介して基地局が端末に前記受信結果を報告するのに用いるように設定したアップリンク制御チャンネルである。若し、スロットｎで端末が第１論理チャンネルに対するスケジューリングリクエスト情報及びダウンリンクデータチャンネルに対する受信結果を同時に送信する場合、端末は前記ダウンリンクデータチャンネルに対する受信結果をＰＵＣＣＨ＃１(１４１０)を介して送信し、基地局に第１論理チャンネルに対するスケジューリングリクエスト情報及び前記受信結果のいずれも送信することができる。しかし、この時、基地局が端末に用いるように指示したＰＵＣＣＨ＃３(１４３０)の設定情報、言い換えれば、ＰＵＣＣＨ＃３(１４３０)の長さと、ＰＵＣＣＨ＃１(１４１０)と異なる。この時、ＰＵＣＣＨ＃３(１４３０)とＰＵＣＣＨ＃１(１４１０)はいずれもＰＵＣＣＨ  ｆｏｒｍａｔ １と仮定する。
【０１４４】
前記のように互いに異なるアップリンク制御情報を同時に送信する場合、又は互いに異なるアップリンク制御情報に対応される各アップリンク制御チャンネル送信リソースが少なくとも一つのシンボル以上で時間上のオーバーラップされる場合、端末は前記送信しようとするアップリンク制御情報に対応されるアップリンク制御チャンネルのうちの一つでアップリンク制御情報を送信することができる。スロットｎで端末が第１論理チャンネルに対するスケジューリングリクエスト情報及びダウンリンクデータチャンネルに対する受信結果を同時に送信する場合、又は第１論理チャンネルに対するスケジューリングリクエスト情報送信のためのアップリンク制御チャンネル(ＰＵＣＣＨ＃１)とダウンリンクデータチャンネルに対する受信結果送信のためのアップリンク制御チャンネル(ＰＵＣＣＨ＃３)が少なくとも一つ以上のシンボルで時間上のオーバーラップされる場合、端末は前記ダウンリンクデータチャンネルに対する受信結果をＰＵＣＣＨ＃１(１４１０)を介して送信し、基地局へ第１論理チャンネルに対するスケジューリングリクエスト情報(以下、ＳＲ１)及び前記受信結果(以下、ＨＡＲＱ−ＡＣＫ)いずれもを送信することができる。
【０１４５】
若し、前記の場合に対し、ＰＵＣＣＨ＃１(１４１０)とＰＵＣＣＨ＃３(１４３０)に対して設定されたＰＵＣＣＨの長さ(又はＰＵＣＣＨシンボルの数、Ｎ＿ＰＵＣＣＨ＿ｓｙｍｂ)が互いに異なる場合、端末はＰＵＣＣＨ＃１の設定情報を用いて前記ダウンリンクデータチャンネルに対する受信結果情報を生成し、これをＰＵＣＣＨ＃１(１４１０)に対して設定された時間及び周波数リソースを介して送信することができる。
【０１４６】
前記でＳＲ１のみをＰＵＣＣＨ＃１(１４１０)に送信する場合と同一なＰＵＣＣＨ  ｒｅｓｏｕｒｃｅ設定値として送信しようとするＨＡＲＱ−ＡＣＫ信号を生成する第１方案に対して具体的に説明する。
【０１４７】
第１方案で端末はＰＵＣＣＨ＃１(１４１０)で送信するビット情報(例えば、ＳＲのみを送信する場合、ＰＵＣＣＨ＃１(１４１０)で送信するビット情報はｄ(０)＝１)を除いて、ＰＵＣＣＨ＃１(１４１０)に対して設定された設定情報を用い、前記ＨＡＲＱ−ＡＣＫ情報に対する信号を生成し、これをＰＵＣＣＨ＃１(１４１０)に設定された時間及び周波数リソースを介して送信することができる。言い換えれば、端末は前記受信したダウンリンクデータに対する受信結果、ＨＡＲＱ−ＡＣＫビット情報をＢＰＳＫ又はＱＰＳＫ方式などを用いて符号化し、送信しようとする情報をｄ(０)を生成し、前記信号に特定シーケンス(例えば、Ｚａｄｏｆｆ−Ｃｈｕ  ｓｅｑｕｅｎｃｅ)を掛けて、これを直交シーケンス値ｗ＿ｉ(ｍ)を用いて拡散させてＰＵＣＣＨ＃１(１４１０)を介して送信しようとする信号を生成することができる。言い換えれば、端末は情報ｄ(０)を除いて、ＳＲ１のみをＰＵＣＣＨ＃１(１４１０)に送信する場合と同一なＰＵＣＣＨ  ｒｅｓｏｕｒｃｅ設定値で送信しようとするＨＡＲＱ−ＡＣＫ信号を生成し、これをＰＵＣＣＨ＃１(１４１０)に割り当てられた信号及び周波数リソースで送信することができる。この時、前記ＰＵＣＣＨ＃１(１４１０)に対するＰＵＣＣＨ  ｒｅｓｏｕｒｃｅ設定情報は、前記ＰＵＣＣＨ＃１(１４１０)に対して設定されたＰＵＣＣＨ  ｒｅｓｏｕｒｃｅであり、前述したＰＵＣＣＨ  ｆｏｒｍａｔを決定するための方案で説明した次のようなＰＵＣＣＨ  ｒｅｓｏｕｒｃｅを少なくとも一つ含む。
【０１４８】
ＰＵＣＣＨ送信開始シンボル、ＰＵＣＣＨ送信シンボル数、開始ＰＲＢを指示するインデックス、送信ＰＲＢ個数、周波数ホッピング設定可否、周波数ホッピングが指示された時、第２ホップの周波数リソース、及び初期ＣＳ値、時間軸ＯＣＣ(Ｏｒｔｈｏｇｏｎａｌ  Ｃｏｖｅｒ  Ｃｏｄｅ)のインデックス、Ｐｒｅ−ＤＦＴ  ＯＣＣの長さ、Ｐｒｅ−ＤＦＴ  ＯＣＣのインデックス
【０１４９】
この時、端末がＰＵＣＣＨ  ｆｏｒｍａｔ１を用いてただＳＲ１のみを送信する場合、ｄ(０)を１又はＮＡＣＫ／ＤＴＸを送信する場合のｄ(０)を掛けてＰＵＣＣＨ  ｆｏｒｍａｔ１を送信する。このようにすることによって、端末がｐｏｓｉｔｉｖｅ  ＳＲとＨＡＲＱ−ＡＣＫを一スロットで同時に送信する時、情報ｄ(０)を除いてＳＲ１のみをＰＵＣＣＨ＃１(１４１０)に送信する場合と同一な設定値として送信しようとするＨＡＲＱ−ＡＣＫ信号を生成しても、端末が基地局によって送信されたダウンリンク制御チャンネルを見逃した場合にＮＡＣＫ／ＤＴＸとｐｏｓｉｔｉｖｅ  ＳＲを送信した場合とｐｏｓｉｔｉｖｅ  ＳＲのみを送信した場合を基地局が同様に判断してダウンリンクデータに対する再送信を行うことができる。
【０１５０】
前記でＳＲ１のみをＰＵＣＣＨ＃１(１４１０)に送信する場合と同一なＰＵＣＣＨ  ｒｅｓｏｕｒｃｅ設定値として送信しようとするＨＡＲＱ−ＡＣＫ信号を生成する第２方案に対して具体的に説明する。
【０１５１】
第２方案は、端末がＨＡＲＱ−ＡＣＫ送信のためにＰＵＣＣＨ＃３を生成し、生成されたＰＵＣＣＨ＃３をＳＲ１送信のために設定されたＰＵＣＣＨ＃１のＰＵＣＣＨ  ｒｅｓｏｕｒｃｅに合わせる。特に、送信シンボル個数に合わせるためにＰＵＣＣＨ＃３を穿孔(ｐｕｎｃｔｕｒｅ)したり繰り返し送信する。第２方案は、ＨＡＲＱ−ＡＣＫ送信のためのＰＵＣＣＨ＃３をＰＵＣＣＨ＃１のＰＵＣＣＨ  ｒｅｓｏｕｒｃｅに当たるようにレートマッチングして新たに生成する必要がないから、端末が遅延が短くなければならないアップリンクデータを送信しなければならない場合又は特定論理チャンネル(ｌｏｇｉｃａｌ  ｃｈａｎｎｅｌ)又は論理チャンネルグループ(Ｌｏｇｉｃａｌ  Ｃｈａｎｎｅｌ  Ｇｒｏｕｐ)に対するスケジューリングリクエスト情報を送信しなければならない場合に有利である。例えば、端末がＰＵＣＣＨ＃３の送信のために１３シンボルのＰＵＣＣＨ＃３を生成し、ＰＵＣＣＨ＃１の送信のために８シンボルが設定された場合、ＰＵＣＣＨ＃３の１３シンボルを前方から８シンボルのみを送信し、後方の５シンボルを穿孔し、ＰＵＣＣＨ＃１ＰＵＣＣＨ  ｒｅｓｏｕｒｃｅで送信する。例えば、端末がＰＵＣＣＨ＃３の送信のために５シンボルのＰＵＣＣＨ＃３を生成し、ＰＵＣＣＨ＃１の送信のために８シンボルが設定された場合、ＰＵＣＣＨ＃３の５シンボＲを前方から全部送信し、残る３シンボルにＰＵＣＣＨ＃３の前から３シンボルを追加で送信してＲＰＵＣＣＨ＃１のＰＵＣＣＨ  ｒｅｓｏｕｒｃｅで送信する。この時、端末は初期ＣＳ値はＰＵＣＣＨ＃３のためにダウンリンク制御チャンネルから指示されたＰＵＣＣＨ  ｒｅｓｏｕｒｃｅに含まれた値を用いる。
【０１５２】
もし、前記の場合に対し、ＰＵＣＣＨ＃１(１４１０)とＰＵＣＣＨ＃３(１４３０)に対して設定されたＰＵＣＣＨの長さ(又はＰＵＣＣＨシンボルの数、Ｎ＿ＰＵＣＣＨ＿ｓｙｍｂ)が互いに同じな場合、端末はＰＵＣＣＨ＃３(１４３０)の設定情報を用いて前記ダウンリンクデータチャンネルに対する受信結果情報を生成し、これをＰＵＣＣＨ＃１(１４１０)に対して設定された時間及び周波数リソースを介して送信することができる。より具体的に説明すれば、端末は前記受信したダウンリンクデータに対する受信結果、すなわち、ＨＡＲＱ−ＡＣＫ情報をＢＰＳＫ又はＱＰＳＫ方式などを用いて符号化し、ｄ(０)を生成し、前記ｄ(０)に特定シーケンス(例えば、Ｚａｄｏｆｆ−Ｃｈｕ  ｓｅｑｕｅｎｃｅ)を掛けて、これを直交シーケンス値ｗ＿ｉ(ｍ)を用いて拡散された信号を生成することができる。言い換えれば、端末はＨＡＲＱ−ＡＣＫのみをＰＵＣＣＨ＃３(１４３０)に送信する場合と同一な設定値で送信しようとするＨＡＲＱ−ＡＣＫ信号を生成し、これをＰＵＣＣＨ＃１に割り当てられた信号及び周波数リソースで送信する。この時、前記ＰＵＣＣＨ＃３に対する設定情報は、Ｚａｄｏｆｆ−Ｃｈｕシーケンス、Ｚａｄｏｆｆ−Ｃｈｕシーケンスグループナンバー、前記グループ内シーケンスナンバー、前記ＰＵＣＣＨ＃１に対して設定されたＰＵＣＣＨ長さ(又はＰＵＣＣＨシンボルの数、Ｎ＿ＰＵＣＣＨ＿ｓｙｍｂ)、周波数ホッピング設定、周波数ホッピングが活性化時、第１及び第２のホッピング区間に対するシンボルの数又は第１及び第２のホッピング区間に対するｓｐｒｅａｄｉｎｇ  ｆａｃｔｏｒ(Ｎ＿ＰＵＣＣＨ＿ＳＦ０、Ｎ＿ＰＵＣＣＨ＿ＳＦ１)及びこれに対する直交シーケンス値を含んでアップリンク制御チャンネルを生成する時に必要な設定値をいずれも含み、前記設定情報は上位信号、ダウンリンク制御情報を介して受信することができ、上位信号及びダウンリンク制御情報の組み合せ又は上位信号を介して設定された設定値のうちの一つをダウンリンク制御情報が指示するなどの方法を介して前記設定情報を判断することができる。この時、前記の場合に対し、ＰＵＣＣＨ＃１(１４１０)とＰＵＣＣＨ＃３(１４３０)に対して設定されたＰＵＣＣＨの長さ(又はＰＵＣＣＨシンボルの数、Ｎ＿ＰＵＣＣＨ＿ｓｙｍｂ)が互いに同じな場合にも、端末はＰＵＣＣＨ＃１(１４１０)の設定情報を用いて前記ダウンリンクデータチャンネルに対する受信結果情報を生成し、これをＰＵＣＣＨ＃１(１４１０)に対して設定された時間及び周波数リソースを介して送信することも可能である。
【０１５３】
次に、一つのスロット内で互いに異なる制御情報(ＨＡＲＱ−ＡＣＫとＳＲ)が送信されなければならない状況でＰＵＣＣＨ  ｆｏｒｍａｔによる制御情報送信方法を実施例４及び５を介して説明する。
【０１５４】
＜実施例４＞
また、他の実施例として端末はｓｈｏｒｔＰＵＣＣＨ  ｆｏｒｍａｔであるＰＵＣＣＨ  ｆｏｒｍａｔ ０又はｌｏｎｇＰＵＣＣＨ  ｆｏｒｍａｔであるＰＵＣＣＨ  ｆｏｒｍａｔ １を介してスケジューリングリクエスト情報を送信するように基地局から上位信号設定を受信し、端末が前記設定されたＰＵＣＣＨ  ｆｏｒｍａｔで少なくとも一つの論理チャンネルのためのアップリンクデータを送信するためにスロットｎでスケジューリングリクエスト情報を送信しようとする状況を考慮する。さらに、ダウンリンクデータチャンネルに対する受信結果(ＨＡＲＱ−ＡＣＫ)をまた他のｓｈｏｒｔＰＵＣＣＨ  ｆｏｒｍａｔであるＰＵＣＣＨ  ｆｏｒｍａｔ０を介してスロットｎで送信するように端末がダウンリンク制御チャンネルからの特定ビットフィールドを通じる指示を基地局から受信するかダウンリンク制御チャンネルリソース、スロットインデックス、端末固有ＩＤによって誘導した時、端末は前記のスケジューリングリクエスト情報とダウンリンクデータチャンネルに対する受信結果をスロットｎで送信するために次のような動作を行うことができる。
【０１５５】
第１は、端末はスケジューリングリクエスト情報を送信するためのＰＵＣＣＨ  ｆｏｒｍａｔ ０又はＰＵＣＣＨ  ｆｏｒｍａｔ １とダウンデータチャンネルに対する受信結果を送信するためのＰＵＣＣＨ  ｆｏｒｍａｔ ０がスロットｎの少なくとも一つのＯＦＤＭシンボルでもオーバーラップされる場合、後述する動作１を行い、一つのＯＦＤＭシンボルでもでもオーバーラップされない場合、端末はスロットｎでスケジューリングリクエスト送信のために設定されたＰＵＣＣＨ  ｆｏｒｍａｔでスケジューリングリクエスト情報を送信し、ＨＡＲＱ−ＡＣＫをＰＵＣＣＨ  ｆｏｒｍａｔ ０で送信する。
【０１５６】
第２は、端末はスケジューリングリクエスト情報を送信するためのＰＵＣＣＨ  ｆｏｒｍａｔ０又はＰＵＣＣＨ  ｆｏｒｍａｔ １とダウンデータチャンネルに対する受信結果を送信するためのＰＵＣＣＨ  ｆｏｒｍａｔ ０が同一なスロット(すなわち、スロットｎ)で送信される場合、後述する第１動作を行い、同一なスロットで送信されない場合、スロットｎで送信されなければならない一つの制御情報のみを設定されたり指示されたＰＵＣＣＨ  ｆｏｒｍａｔで送信する。
【０１５７】
［第１動作開始］
端末はスロットｎでＰＵＣＣＨ  ｆｏｒｍａｔ ０でＨＡＲＱ−ＡＣＫを送信する時、スケジューリングリクエストのためのＣＳオフセットを追加的に適用する。具体的な手続きは次の通りある。
【０１５８】
端末は基地局から上位信号で設定されたグループホッピング又はシーケンスホッピング設定及び設定されたＩＤ基盤でシーケンスを生成し、ＨＡＲＱ−ＡＣＫ送信のために指示された初期ＣＳ(ｃｙｃｌｉｃ  ｓｈｉｆｔ)値にＡＣＫ又はＮＡＣＫであるによって他のＣＳ値と追加でスケジューリングリクエスト情報を送信するためのオフセットを足した最終ＣＳ値を前記シーケンスにｃｙｃｌｉｃ  ｓｈｉｆｔして１２個のサブキャリアにマッピングして送信する。例えば、ＨＡＲＱ−ＡＣＫが１ビットの場合、次の表７のようにＡＣＫであれば初期ＣＳ値に６と追加でスケジューリングリクエスト情報を送信するためのオフセット３を足して最終ＣＳを生成し、ＮＡＣＫであれば初期ＣＳ値に０と追加でスケジューリングリクエスト情報を送信するためのオフセット３を足して最終ＣＳを生成する。前記のＮＡＣＫのためのＣＳ値である０とＡＣＫのためのＣＳ値である６、追加でスケジューリングリクエストのためのＣＳオフセット値である３は規格に次の表のように定義され、端末は常に前記値によってＰＵＣＣＨ  ｆｏｒｍａｔ ０を生成して１ビットＨＡＲＱ−ＡＣＫとスケジューリングリクエスト情報を送信する。
【０１５９】
【表７】
2021509784.tif 000009
【０１６０】
例えば、ＨＡＲＱ−ＡＣＫが２ビットの場合、次の表８のように(ＮＡＣＫ、ＮＡＣＫ)であれば初期ＣＳ値に０と追加でスケジューリングリクエスト情報を送信するためのオフセット１を足して最終ＣＳを生成し、(ＮＡＣＫ、ＡＣＫ)であれば初期ＣＳ値に３と追加でスケジューリングリクエスト情報を送信するためのオフセット１を足して最終ＣＳを生成し、(ＡＣＫ、ＡＣＫ)であれば初期ＣＳ値に６と追加でスケジューリングリクエスト情報を送信するためのオフセット１を足して最終ＣＳを生成し、(ＡＣＫ、ＮＡＣＫ)であれば初期ＣＳ値に９と追加でスケジューリングリクエスト情報を送信するためのオフセット１を足して最終ＣＳを生成する。前記の(ＮＡＣＫ、ＮＡＣＫ)のためのＣＳ値である０と(ＮＡＣＫ、ＡＣＫ)のためのＣＳ値である３、(ＡＣＫ、ＡＣＫ)のためのＣＳ値である６、(ＡＣＫ、ＮＡＣＫ)のためのＣＳ値である９、追加でスケジューリングリクエストのためのＣＳオフセット値である１は規格に次の表のように定義され、端末は常に前記値によってＰＵＣＣＨ  ｆｏｒｍａｔ ０を生成して２ビットＨＡＲＱ−ＡＣＫとスケジューリングリクエスト情報を送信する。
【０１６１】
前記で初期ＣＳ値にＡＣＫ又はＮＡＣＫ又はスケジューリング情報送信によって足されたＣＳ値によって最終ＣＳ値が１２を超える場合、シーケンスの長さが１２であるのでｍｏｄｕｌｏ １２を適用することは自明である。
【０１６２】
【表８】
2021509784.tif 000010
【０１６３】
＜実施例５＞
また他の実施例として端末はｓｈｏｒｔＰＵＣＣＨ  ｆｏｒｍａｔであるＰＵＣＣＨ  ｆｏｒｍａｔ０を介してスケジューリングリクエスト情報を送信するように基地局から上位信号設定を受信し、端末が前記設定されたＰＵＣＣＨ  ｆｏｒｍａｔで少なくとも一つの論理チャンネルのためのアップリンクデータを送信するためにスロットｎでスケジューリングリクエスト情報を送信しようとする状況を考慮する。また、ダウンリンクデータチャンネルに対する受信結果(ＨＡＲＱ−ＡＣＫ)をｌｏｎｇ ＰＵＣＣＨ  ｆｏｒｍａｔであるＰＵＣＣＨ  ｆｏｒｍａｔ １を介して送信するように端末がダウンリンク制御チャンネルからの特定ビットフィールドを通じる指示を基地局から受信したりダウンリンク制御チャンネルリソース、スロットインデックス、端末固有ＩＤによって誘導した時、端末は前記のスケジューリングリクエスト情報とダウンリンクデータチャンネルに対する受信結果をスロットｎで送信するために次のような動作を行うことができる。
【０１６４】
第１は、端末はスケジューリングリクエスト(ＳＲ)情報を送信するためのＰＵＣＣＨ  ｆｏｒｍａｔ ０とダウンリンクデータチャンネルに対する受信結果を送信するためのＰＵＣＣＨ  ｆｏｒｍａｔ １がスロットｎの少なくとも一つのＯＦＤＭシンボルでオーバーラップされる場合、後述する動作２を行う。もし、スロットｎの少なくとも一つのＯＦＤＭシンボルでもオーバーラップされない場合、端末はスロットｎでＰＵＣＣＨ  ｆｏｒｍａｔ ０でスケジューリングリクエストを送信し、ＰＵＣＣＨ  ｆｏｒｍａｔ １でＨＡＲＱ−ＡＣＫを送信する。
【０１６５】
第２は、端末はスケジューリングリクエスト情報を送信するためのＰＵＣＣＨ  ｆｏｒｍａｔ ０とダウンリンクデータチャンネルに対する受信結果を送信するためのＰＵＣＣＨ  ｆｏｒｍａｔ １が同一なスロット(すなわち、スロットｎ)で送信される場合、後述する第２動作を行い、同一なスロットで送信されない場合、スロットｎで送信されなければならない一つの制御情報のみを設定されたり指示されたＰＵＣＣＨ  ｆｏｒｍａｔで送信する。
【０１６６】
［第２動作開始］
次の４つの方案中に端末は一つを行うことができる。
【０１６７】
方案１として、端末はスロットｎでＰＵＣＣＨ  ｆｏｒｍａｔ １でＨＡＲＱ−ＡＣＫのみを送信する。若しくは方案２として端末はスロットｎでＰＵＣＣＨ  ｆｏｒｍａｔ ０でＳＲのみを送信する。若しくは方案３として端末はスロットｎでＰＵＣＣＨ  ｆｏｒｍａｔ ０でＳＲを送信する時、ＨＡＲＱ−ＡＣＫ送信のためのＣＳオフセットを追加的に適用することができ、具体的な手続きは次の通りである。端末は基地局から上位信号で設定されたグループホッピング又はシーケンスホッピング設定及び設定されたＩＤ基盤でシーケンスを生成し、ＳＲ送信のために指示された初期ＣＳ値に追加でＡＣＫ又はＮＡＣＫであるかによって他のＣＳオフセットを足した最終ＣＳ値を前記シーケンスにｃｙｃｌｉｃ  ｓｈｉｆｔして１２個のサブキャリアにマッピングして送信する。例えば、ＨＡＲＱ−ＡＣＫが１ビットの場合、次の表９のようにＳＲ送信のための初期ＣＳ値にＡＣＫであれば６を足して最終ＣＳを生成し、ＮＡＣＫであれば初期ＣＳ値に０を足して最終ＣＳを生成する。前記のＮＡＣＫのためのＣＳ値である０とＡＣＫのためのＣＳ値である６は規格に次の表９のように定義され、端末は常に前記値によってＰＵＣＣＨ  ｆｏｒｍａｔ ０を生成してスケジューリングリクエスト情報と１ビットＨＡＲＱ−ＡＣＫを送信する。この場合、すなわち、１ビットＨＡＲＱ−ＡＣＫを送信するように上位信号で設定される場合(若しくは、一つの符号語又は一つのＰＤＳＣＨのみを受信するように上位信号で設定された場合)、ＳＲ送信のための初期ＣＳ値は０、１、２、３、４、５で制限される。
【０１６８】
【表９】
2021509784.tif 000011
【０１６９】
例えば、ＨＡＲＱ−ＡＣＫが２ビットの場合、次の表１０のようにＳＲ送信のための初期ＣＳ値に(ＮＡＣＫ、ＮＡＣＫ)であれば０を足して最終ＣＳを生成し、(ＮＡＣＫ、ＡＣＫ)であれれば３を足して最終ＣＳを生成し、(ＡＣＫ、ＡＣＫ)であれば初期ＣＳ値に６を足して最終ＣＳを生成し、(ＡＣＫ、ＮＡＣＫ)であれば初期ＣＳ値に９を足して最終ＣＳを生成する。前記の(ＮＡＣＫ、ＮＡＣＫ)のためのＣＳ値である０と(ＮＡＣＫ、ＡＣＫ)のためのＣＳ値である３、(ＡＣＫ、ＡＣＫ)のためのＣＳ値である６、(ＡＣＫ、ＮＡＣＫ)のためのＣＳ値である９は規格に次の表のように定義され、端末は常に前記値によってＰＵＣＣＨ  ｆｏｒｍａｔ ０を生成してスケジューリングリクエスト情報と２ビットＨＡＲＱ−ＡＣＫを送信する。この場合、すなわち、２ビットＨＡＲＱ−ＡＣＫを送信するように上位信号に設定される場合(若しくは２つの符号語又は２つのＰＤＳＣＨを受信するように上位信号に設定された場合)ＳＲ送信のための初期ＣＳ値は０、１、２で制限される。
【０１７０】
前記でＳＲ送信のための初期ＣＳ値にＡＣＫ又はＮＡＣＫ送信によって足されたＣＳ値によって最終ＣＳ値が１２を超える場合、シーケンスの長さが１２であるのでｍｏｄｕｌｏ１２を適用することは自明である。
【０１７１】
【表１０】
2021509784.tif 000012
【０１７２】
若しくは、方案４として端末はスロットｎでＰＵＣＣＨ  ｆｏｒｍａｔ １でＨＡＲＱ−ＡＣＫを送信する時、ＳＲ送信のためのＣＳオフセットを追加的に適用することができ、具体的な手続きは次の通りである。ＰＵＣＣＨ  ｆｏｒｍａｔ １のＵＣＩシンボルのためにシーケンス生成時、スケジューリング情報リクエストのための追加ＣＳオフセットを適用する。すなわち、端末は基地局から上位信号で設定されたグループホッピング又はシーケンスホッピング設定及び設定されたＩＤ基盤でシーケンスを生成し、ＰＵＣＣＨ  ｒｅｓｏｕｒｃｅで指示された初期ＣＳ値にスケジューリング情報リクエストのための追加ＣＳオフセットを足した値で前記生成されたシーケンスをｃｙｃｌｉｃ  ｓｈｉｆｔして１ ＲＢの長さに該当するシーケンスを生成する。端末は前記生成されたシーケンスを少なくともＰＵＣＣＨ  ｆｏｒｍａｔ １のＤＭＲＳシンボル又はＵＣＩシンボルのために適用する。端末は本開示によってＵＣＩシンボルとＤＭＲＳシンボルの組み合せを通じるＰＵＣＣＨ  ｆｏｒｍａｔ １を構成し、スロットｎで送信する。
【０１７３】
図１０は、一実施例による端末動作の図面である。図１０を介して実施例１に対する端末動作を説明すれば、次の通りである。端末は段階１０１０で基地局から上位信号、又は放送チャンネル、又はシステム情報を含むダウンリンクデータチャンネル(例えば、ＳＩ−ＲＮＴＩでスクランブリングされたＤＣＩでスケジューリングしたダウンリンクデータチャンネル)を介して帯域幅部分に関する設定情報(例えば、表１)、そして、一つ又は複数の帯域幅部分に対する表２のようなアップリンク制御チャンネル関連設定情報を受信する。端末は段階１０２０で上位信号又はダウンリンク制御チャンネルを介して送信されるＤＣＩを介して帯域幅部分調節インジケータ又は活性化インジケータを介して少なくとも一つのダウンリンク及びアップリンク帯域幅部分を活性化する。この時、ダウンリンク帯域幅部分とアップリンク帯域幅部分が互いに連係されて動作する場合、ダウンリンク帯域幅部分調節インジケータを介してアップリンク帯域幅部分が共に変更及び活性化されることができる。
【０１７４】
若し、端末が基地局から受信されたダウンリンクデータに対する受信結果を送信する場合、又は周期的なチャンネル状態情報又はＳＲＳ情報を送信、又はＳＲ情報を送信する場合に、現在活性化されているアップリンク帯域幅部分にアップリンク制御チャンネルが設定されているかを段階１０３０で判断する。若し、段階１０３０で判断したアップリンク帯域幅部分にアップリンク制御チャンネルが設定されている場合、端末は段階１０５０で前記活性化されたアップリンク帯域幅部分で前記基地局が設定したアップリンク制御チャンネル又は基地局がＤＣＩを介して指示したアップリンク制御チャンネルを用いて前記アップリンク信号を送信する。もし、段階１０３０で判断したアップリンク帯域幅部分にアップリンク制御チャンネルが設定されていない場合、端末は段階１０４０で本開示の実施例１で提案する方法によってアップリンク制御チャンネルが設定されている帯域幅部分を活性化して前記帯域幅部分に設定されたアップリンク制御チャンネルを介して前記アップリンク信号を送信することができる。
【０１７５】
図１１は、一実施例による端末動作の図面である。図１１を介して実施例２に対する端末動作を説明すれば、次の通りである。端末は段階１１１０で基地局から上位信号、又は放送チャンネル、又はシステム情報を含むダウンリンクデータチャンネル(例えば、ＳＩ−ＲＮＴＩでスクランブリングされたＤＣＩでスケジューリングしたダウンリンクデータチャンネル)を介して帯域幅部分に関する設定情報(例えば、表１)、そして一つ又は複数の帯域幅部分に対する表２２のようなアップリンク制御チャンネル関連設定情報を受信する。端末は段階１１２０で上位信号又はダウンリンク制御チャンネルを介して送信されるＤＣＩを介して帯域幅部分調節インジケータ又は活性化インジケータを介して少なくとも一つのダウンリンク及びアップリンク帯域幅部分を活性化する。この時、ダウンリンク帯域幅部分とアップリンク帯域幅部分が互いに連係されて動作する場合、ダウンリンク帯域幅部分調節インジケータを介してアップリンク帯域幅部分が共に変更及び活性化されることができる。
【０１７６】
若し、ダウンリンク帯域幅部分調節インジケータを介してアップリンク帯域幅部分が共に変更及び活性化される場合において、若し、端末が基地局から受信されたダウンリンクデータに対する受信結果を送信しなければならない場合、又は周期的なチャンネル状態情報又はＳＲＳ情報を送信、又はＳＲ情報を送信しなければならない場合に、端末は本開示の実施例２で提案する第１方法又は第２方法によってアップリンク帯域幅部分の変更又は活性化時間を判断し(１１３０、１１４０)、前記判断された活性化帯域幅部分に設定されたアップリンク制御チャンネルリソース(又はアップリンク制御チャンネル構成インデックス又はアップリンク制御チャンネルフォーマット)を判断し、前記制御チャンネルリソースを介して前記アップリンク信号を送信することができる(１１５０)。
【０１７７】
本開示の前記実施例を行うために端末と基地局の送信部、受信部、制御部がそれぞれ図１２及び図１３に示されている。前記実施例に該当する５Ｇ通信システムにおけるデータチャンネルと制御チャンネルがリソースを共有する方法、データ開始地点を指定する方法、このため多様なシグナリングを行う基地局と端末の構造が示され、これを行うために基地局と端末の送信部、受信部、処理部がそれぞれ実施例によって動作しなければならない。
【０１７８】
図１２は、一実施例による端末の内部構造の図面である。図１２に示されたように、本開示の端末は端末機処理部１２０１、受信部１２０２、送信部１２０３を含むことができる。
【０１７９】
端末機処理部１２０１は、上述した本開示の実施例によって端末が動作することができる一連の過程を制御することができる。例えば、本開示の実施例による帯域幅の設定方法、帯域幅の調節方法及びアップリンク制御チャンネルに対する制御チャンネル送信リソースの設定方法などの情報によって端末のアップリンク帯域幅活性化及びアップリンク制御チャンネル及びデータチャンネルに対する送信動作を異なるように制御することができる。端末機受信部１２０２と端末が送信部１２０３を通称して本開示の実施例では送受信部と称することができる。送受信部は基地局と信号を送受信することができる。前記信号は制御情報と、データを含むことができる。このために、送受信部は送信される信号の周波数を上昇変換及び増幅するＲＦ送信機と、受信される信号を低雑音増幅して周波数を下降変換するＲＦ受信機などから構成されることができる。さらに、送受信部は無線チャンネルを介して信号を受信して端末機処理部１２０１で出力し、端末機処理部１２０１から出力された信号を無線チャンネルを介して送信することができる。
【０１８０】
図１３は、一実施例による基地局の内部構造の図面である。図１３に示されたように、本開示の基地局は基地局処理部１３０１、受信部１３０２、送信部１３０３を含むことができる。
【０１８１】
基地局処理部１３０１は、上述した本開示の実施例によって基地局が動作するように一連の過程を制御することができる。例えば、本開示の実施例による帯域幅設定方法、帯域幅調節方法及びアップリンク制御チャンネルに対する制御チャンネルリソース領域設定方法などによって異なるように制御することができる。また、必要によって多様な追加的なインジケータを送信するように制御することができる。基地局受信部１３０２と基地局送信部１３０３を通称して本開示の実施例では送受信部と称することができる。送受信部は、端末と信号を送受信することができる。前記信号は制御情報と、データを含むことができる。このために、送受信部は送信される信号の周波数を上昇変換及び増幅するＲＦ送信機と、受信される信号を低雑音増幅して周波数を下降変換するＲＦ受信機などから構成されることができる。また、送受信部は無線チャンネルを介して信号を受信して基地局処理部１３０１で出力し、基地局処理部１３０１から出力された信号を無線チャンネルを介して送信することができる。
【０１８２】
本開示で用いられた用語“モジュール”は、例えば、ハードウェア、ソフトウェア及びファームウエアの一つ以上の組み合せを含むユニットを示すことができる。“モジュール”という用語は“論理”、“論理ブロック”、“部品”及び“回路”という用語と相互交換的に用いられることができる。“モジュール”は統合部品の最小単位であれば良くその一部であれば良い。“モジュール”は一つ以上の機能又はその一部を行うための最小ユニットであれば良い。例えば、“モジュール”はＡＳＩＣを含むことができる。
【０１８３】
本開示の多様な実施例は機械(例えば、コンピューター)によって読み取り可能な機械読み取り可能な記憶媒体に記憶された命令を含むソフトウェアによって具現されることができる。このような機械は、機械読み取り可能な記憶媒体から命令を呼び出し、呼び出された命令に応じて動作する装置であっても良く電子装置を含むことができる。命令語がプロセッサによって実行される時、プロセッサは命令語に対応する機能を直接行うか、プロセッサの制御下に他の構成要素を用いることができる。命令語はコンパイラー又はインタプリターによって生成されたり実行されるコードを含むことができる。機械み取り可能な記憶媒体は非一時的記憶媒体の形態で提供されても良い。ここで、本明細書において用いられる用語“非一時的”はデータ記憶持続性に対する制限とは異なり媒体自らの制限(すなわち、信号ではない有形)である。
【０１８４】
一実施例によれば、本開示に開示された多様な実施例による方法は、コンピュータープログラム製品の一部として提供されることができる。コンピュータープログラム製品は販売者と購買者の間で製品として取り引きされることができる。コンピュータープログラム製品はマシン−読み取り可能な記録媒体(例えば、ＣＤ−ＲＯＭ(ｃｏｍｐａｃｔ  ｄｉｓｃ  ｒｅａｄ  ｏｎｌｙ  ｍｅｍｏｒｙ))の形態で配布されたりアプリケーションストア(例えば、Ｐｌａｙ  Ｓｔｏｒｅ  ＴＭ)を介してだけ配布されることができる。オンライン配布の場合、コンピュータープログラム製品の少なくとも一部は製造業社のサーバー、アプリケーションストアのサーバー又はリレーサーバーのメモリーのような記憶媒体に臨時記憶されたり生成されることができる。
【０１８５】
多様な実施例による各構成要素(例えば、モジュール又はプログラム)は、前記構成要素のうちの少なくとも一つを含むことができ、前記下位構成要素の一部が省略されるか、追加的な他の下位構成要素がさらにあれば良い。代案的又は追加的に、一部構成要素は一つの構成要素に統合されることができ、統合前にそれぞれの対応する構成要素によって行われる同一又は類似の機能を行うことができる。本発明の多様な実施例によるモジュール、プログラミング又は他の構成要素により行われる動作は順次、並列、繰り返し又はヒューリスティック(ｈｅｕｒｉｓｔｉｃ)方法で実行されることができる。さらに、少なくとも一部動作は互いに異なる手順で実行されたり省略されたり他の動作が追加されることができる。
【０１８６】
本開示が本発明の特定実施例を参照して図示されて説明されたが、当業者は本開示の範囲を逸脱しないながら形態及び詳細事項の多様な変更が成ることができることを理解するだろう。それで、本開示の範囲は実施例に制限されることで定義されてはいけなく、添付された請求範囲及びその等価物により定義されなければならない。
【符号の説明】
【０１８７】
１２０１  端末機処理部
１２０２  端末機受信部
１２０３  端末機送信部
１３０１  基地局処理部
１３０２  基地局受信部
１３０３  基地局送信部
【図１】
2021509784.tif 000013
【図２】
2021509784.tif 000014
【図３】
2021509784.tif 000015
【図４】
2021509784.tif 000016
【図５】
2021509784.tif 000017
【図６】
2021509784.tif 000018
【図７】
2021509784.tif 000019
【図８】
2021509784.tif 000020
【図９】
2021509784.tif 000021
【図１０】
2021509784.tif 000022
【図１１】
2021509784.tif 000023
【図１２】
2021509784.tif 000024
【図１３】
2021509784.tif 000025
【図１４】
2021509784.tif 000026
【国際調査報告】
2021509784.tif 000027
2021509784.tif 000028